(57)【要約】【課題】管理装置は、複数の基地局装置から同一の情報を同時に配信する移動体通信網において、基地局装置が情報を送信するために必要となる要素を決定するアルゴリズムを提供する。【解決手段】管理装置は、基地局から配信されるべき情報の必要帯域幅と１つ以上の基地局の組み合わせから送出される無線信号の到達範囲である配信対象領域の指定を受け付け、配信されるべき情報の時間枠と配信対象領域とに重複関係にある配信対象領域を有し、配信されるべき情報の時間枠と重複する他の情報を特定し、配信されるべき情報の必要帯域幅から枠区間の整数倍で設定される繰り返し周期を求め、繰り返し周期と配信されるべき情報の開始位置からの遅延位置を示す遅延位置情報との他の情報との重複を排除しつつ、配信されるべき情報の遅延位置情報を決定し、繰り返し周期と遅延位置情報とで定められる配信されるべき情報の枠区間の列を形成する。【選択図】図１０
2010130230.tif 000002
【特許請求の範囲】
【請求項１】
重複する時間枠に同一の情報を同期して配信する複数の基地局装置と、
前記基地局装置から配信されるべき情報の時間枠を設定する管理装置とを備え、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき配信対象領域の指定を受ける手段と、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、第１の配信されるべき情報の配信対象領域に対して重複関係にある配信対象領域を有し、前記第１の配信されるべき情報の時間枠が少なくとも一部重複する他の配信されるべき情報を特定する手段と、
前記第１の配信されるべき情報の必要帯域幅から前記繰り返し周期を算出する周期算出手段と、
前記他の配信されるべき情報の前記繰り返し周期を確保するとともに、前記第１の配信されるべき情報が配信される枠区間の列を、列相互の枠区間の重複を排除して形成する枠区間列形成手段と、を有する配信システム。
【請求項２】
重複する時間枠に同一の情報を同期して配信する複数の基地局装置から配信されるべき情報の時間枠を設定する管理装置であり、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき配信対象領域の指定を受ける手段と、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、第１の配信されるべき情報の配信対象領域に対して重複関係にある配信対象領域を有し、前記第１の配
信されるべき情報の時間枠が少なくとも一部重複する他の配信されるべき情報を特定する手段と、
前記第１の配信されるべき情報の必要帯域幅から前記繰り返し周期を算出する周期算出手段と、
前記他の配信されるべき情報の前記繰り返し周期を確保するとともに、前記第１の配信されるべき情報が配信される枠区間の列を、列相互の枠区間の重複を排除して形成する枠区間列形成手段と、を有する管理装置。
【請求項３】
前記他の配信されるべき情報を特定する手段は、前記第１の配信されるべき情報の配信対象領域に対して前記重複関係にある配信対象領域群の境界に位置する配信対象領域と所定距離の範囲に離間している配信対象領域を有し、前記第１の配信されるべき情報の時間枠が少なくとも一部重複する第２の配信されるべき情報を、さらに特定する
請求項２に記載の管理装置。
【請求項４】
重複する時間枠に同一の情報を同期して配信する複数の基地局装置から配信されるべき情報の時間枠を設定する管理装置であり、
前記時間枠は、枠区間の列を含み、
前記枠区間の列は、前記枠区間の整数倍で設定される繰り返し周期と配信が開始する最初の繰り返し周期の開始位置に対して実際に前記配信されるべき情報が配信される最初の枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき第１の配信対象領域の指定を受ける手段と、
（ａ）複数の配信されるべき情報の配信対象領域が互いに少なくとも一部重複する場合、または、（ｂ）前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、前記第１の配信対象領域に対して前記重複関係にある第２の配信対象領域の指定を読み取る手段と、
前記第２の配信対象領域を有し、前記それぞれの配信されるべき情報の時間枠と少なくとも一部が重複する他の配信されるべき情報を特定する手段と、
前記それぞれの配信されるべき情報の必要帯域幅から前記繰り返し周期を算出する周期算出手段と、
前記他の配信されるべき情報の前記繰り返し周期を確保するとともに、前記それぞれの配信されるべき情報が配信される枠区間の列を、列相互の枠区間の重複を排除して形成する枠区間列形成手段と、を有する管理装置。
【請求項５】
前記枠区間列形成手段は、前記繰り返し周期が前記枠区間の２倍以上の間隔である複数種類の情報について、前記遅延位置情報を調整する手段を含む
請求項２から４の何れか１つに記載の管理装置。
【請求項６】
前記基地局装置がそれぞれ、単一の枠区間において、複数種類の情報を識別可能に伝送する副伝送帯を形成しており、
前記枠区間列形成手段は、前記遅延位置情報および前記副伝送帯の少なくとも１つを異なるものすることによってそれぞれの情報を配信する枠区間を決定する
請求項５に記載の管理装置。
【請求項７】
前記枠区間列形成手段は、
異なる繰り返し周期に対してそれぞれの最初の繰り返し周期の区間内での遅延位置情報に対応する枠区間の位置と、それぞれの枠区間内での副伝送帯とによって区分され、選択済みか空きかを示すエントリを含むデータ構造記憶手段と、
１の種類の情報に対して第１の繰り返し周期が前記周期算出手段によって算出されたときに、前記第１の繰り返し周期で特定される前記データ構造記憶手段の、空きエントリから第１の遅延位置情報と第１の副伝送帯とを選択する手段と、
前記選択された第１の遅延位置情報と第１の副伝送帯に該当するエントリを選択済みに設定するとともに、前記第１の繰り返し周期より短い第２の繰り返し周期で特定されるエントリについては、前記第１の遅延情報位置と第１の副伝送帯で特定されるエントリを前記第２の繰り返し周期で周期の開始方向に移動した位置のエントリを選択済みに設定し、前記第１の繰り返し周期より長い第３の繰り返し周期で特定されるエントリについては、前記第１の繰り返し周期で周期の末尾方向に移動した位置のエントリを選択済みに設定する手段と、
を有する請求項６に記載の管理装置。
【請求項８】
コンピュータが、重複する時間枠に同一の情報を同期して配信する複数の基地局装置から配信されるべき情報の時間枠を設定する管理方法であり、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記コンピュータが、
それぞれの配信されるべき情報に対して、必要帯域幅と、配信されるべき配信対象領域の指定を受けるステップと、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、第１の配信されるべき情報の配信対象領域に対して重複関係にある配信対象領域を有し、前記第１の配信されるべき情報の時間枠が少なくとも一部重複する他の配信されるべき情報を特定するステップと、
前記第１の配信されるべき情報の必要帯域幅から前記繰り返し周期を算出する周期算出ステップと、
前記他の配信されるべき情報の前記繰り返し周期を確保するとともに、前記第１の配信されるべき情報が配信される枠区間の列を、列相互の枠区間の重複を排除して形成する枠区間列形成ステップと、を実行する管理方法。
【発明の詳細な説明】
【技術分野】
【０００１】
本発明は、移動通信網において、複数の端末に対して複数の基地局装置から同時にマルチキャスト及びブロードキャストで情報を配信するシステムに関する。
【背景技術】
【０００２】
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）は、無線通信技術の規格の一つである。ＷｉＭＡＸは、当初、高速通信（光及びメタル）回線の敷設やＤＳＬ（Ｄｉｇｉｔａｌ  Ｓｕｂｓｃｒｉｂｅｒ  Ｌｉｎｅ）等の利用が困難な地域で、いわゆるラストワンマイルの接続手段として開発された。現在では、端末が移動しながらでも通信できる機能を追加したモバイルＷｉＭＡＸの規格化が、ＩＥＥＥ８０２．１６ｅ規格に基づき、ＷｉＭＡＸ  Ｆｏｒｕｍという業界団体で進められている。
【０００３】
モバイルＷｉＭＡＸの１つの基地局の通信距離は２ｋｍから１０ｋｍほどであり、これは、携帯電話の基地局の通信距離とほぼ同じである。モバイルＷｉＭＡＸは、携帯電話のように全国規模の通信範囲を想定しているものではなく、ある特定の広域エリアにブロードバンドインターネットのサービスを提供するシステムである。モバイルＷｉＭＡＸは、３Ｇ携帯電話の音声サービスを置き換えようとするものではなく、ブロードバンドのデータ通信サービスを目的とする。
【０００４】
ＷｉＭＡＸは、ＩＰ（Ｉｎｔｅｒｎｅｔ  Ｐｒｏｔｏｃｏｌ）を用いたネットワークを前提として設計されている。ＷｉＭＡＸネットワークでは、レイヤ３のモビリティ技術（Ｍｏｂｉｌｅ  ＩＰ等）と、レイヤ２のモビリティ技術（モバイルＷｉＭＡＸ）とを組み合わせて移動通信サービスを実現する。
【０００５】
図１は、モバイルＷｉＭＡＸネットワークの一般的な構成例を示す。モバイルＷｉＭＡＸネットワークは、階層化されている。その階層は、大きく分けてＣＳＮ２（Ｃｎｎｅｃｔｉｖｉｔｙ  Ｓｅｒｖｉｃｅ  Ｎｅｔｗｏｒｋ）、ＡＳＮ３（Ａｃｃｅｓｓ  Ｓｅｒｖｉｃｅ  Ｎｅｔｗｏｒｋ）、及びＭＳ５（Ｍｏｂｉｌｅ  Ｓｔａｔｉｏｎ）の３つである。ＭＳ５は、ＢＳ（Ｂａｓｅ  Ｓｔａｔｉｏｎ；基地局）を介して、コネクティビティ（接続性）を提供するＡＳＮ３を経由して、ネットワークに接続する。ＡＳＮ３が接続するＣＳＮ２経由で、ＭＳはインターネット等に接続する。
【０００６】
ＭＣＢＣＳ（Ｍｕｌｔｉｃａｓｔ  Ｂｒｏａｄｃａｓｔ  Ｓｅｒｖｉｃｅ）は、ＷｉＭＡＸのＭＢＳ（Ｍｕｔｉｃａｓｔ  ａｎｄ  Ｂｒｏａｄｃａｓｔ  Ｓｅｒｖｉｃｅ）を用いて、マルチキャスト及びブロードキャストで特定の地域に存在する無線端末の加入者にコンテンツ（番組）を配信する放送型のサービスである。ＭＣＢＣＳは、例えば、関東地域の天気情報を関東地域内の移動端末に配信したり、全国にニュースを全国の移動端末に配信したりするサービスである。
【０００７】
ＭＢＳとは、マルチキャストとブロードキャスト情報を含むサービスフローが、複数の基地局から端末に対して同時に送信される送信方式のことをいう。ＭＢＳは、シングルＢＳアクセスとマルチＢＳアクセスとに分けられる。通常、ＭＢＳとは、マルチＢＳアクセスのことを指す。以降、ＭＢＳとは、マルチＢＳアクセスのＭＢＳのことを意味することとする。
【０００８】
ＭＣＢＣＳにおいて、ＣＳＮ２は、配信するコンテンツを備えるＭＣＢＣＳサーバ２１
を含む。ＡＳＮ３は、ＭＣＢＣＳ  Ｐｒｏｘｙ（ＭＣＢＣＳシグナリング管理：図１中「Ｐｒｏｘｙ」）、ＭＣＢＣＳ  ＤＰＦ（ＭＣＢＣＳ  ＤａｔａＰａｔｈ管理：図１中「ＤＰＦ」）、Ａｎｔｈｅｎｔｉｃａｔｏｒ（認証管理：図示せず）などを備える。通常、これらは、ＡＳＮ３とＣＳＮ２とのゲートウェイであるＡＳＮ−ＧＷ（Ｇａｔｅｗａｙ）３１及びＡＳＮ−ＧＷ３２に備えられる。
【０００９】
ＭＢＳでは、同一のＣＩＤ（Ｃｏｎｎｅｃｔｉｏｎ  ＩＤ：コネクション識別子）、ＳＦＩＤ（Ｓｅｒｖｉｃｅ  Ｆｌｏｗ  ＩＤ：サービスフロー識別子）、及び暗号化に関わるパラメータ（ＳＡ（Ｓｅｃｕｒｉｔｙ  Ａｓｓｏｃｉａｔｉｏｎ）、ＴＥＫ（Ｔｒａｆｆｉｃ  Ｅｎｃｒｙｐｔｉｏｎ  Ｋｅｙ）等）を用いて、同一コンテンツを配信する複数の基地局（ＢＳ：Ｂａｓｅ  Ｓｔａｔｉｏｎ）の集合をＭＢＳゾーンとして定義する。即ち、ＭＢＳゾーンは、同一コンテンツを同時に配信する、１つ又は複数の基地局の組み合わせから送出される無線信号の到達範囲である。ＭＢＳゾーンは、それぞれＭＢＳゾーンＩＤが付加されることにより識別される。例えば、図１においては、ＭＢＳゾーン１は、ＢＳ４２とＢＳ４３とで定義される配信エリアである。ＭＢＳゾーン２は、ＢＳ４１とＢＳ４２とで定義される配信エリアである。ＭＢＳゾーン３は、ＢＳ４３とＢＳ４４とで定義される配信エリアである。ＭＢＳゾーン１とＭＢＳゾーン２、ＭＢＳゾーン１とＭＢＳゾーン３のように、ＭＢＳゾーンは互いに重複することが可能である。言い換えると、基地局（ＢＳ）は複数のＭＢＳゾーンに属することができる。
【００１０】
ＭＣＢＣＳは、放送型のサービスであり、下り方向のみにコンテンツを配信する。配信したいコンテンツがＭＣＢＣＳサーバ２１に到着すると（若しくは事前に格納されている）、ＭＣＢＣＳサーバ２１は、ＩＰマルチキャストアドレスを宛先としてＭＣＳＢＳ  ＤＰＦ（ＡＳＮ−ＧＷ３１及びＡＳＮ-ＧＷ３２）へパケットを送信する。ＡＳＮ−ＧＷ３
１に備えられるＭＣＢＣＳ  ＤＰＦとＭＣＢＣＳ  Ｐｒｏｘｙとは、協調して、ＭＢＳのための各種パラメータを設定する。ＭＢＳでは、１つのＭＢＳゾーン内に存在するＭＳが、そのＭＢＳゾーンに含まれるどのＢＳからも、完全に同じ情報を受信できなければならい。従って、同じＭＢＳゾーンに含まれるＢＳは、レイヤ１レベルで（無線信号のビットレベル）で完全に同期をし、さらに、レイヤ２レベル（フレームのビットレベル）でも同期して同じデータを配信する。ＭＣＢＣＳ  ＤＰＦは、ＭＢＳゾーン内の各ＢＳが完全に同期するための情報を、配信予定のコンテンツのフレームに付加して、各ＢＳに送信する。配信予定のコンテンツのフレーム及び付加された情報などに基づいて、ＢＳは適切なタイミング、フレーム構成でコンテンツを送信する。同一のＭＢＳゾーン内で、ＭＳの移動によって使用するＢＳが変わった場合でも、同一ＭＢＳゾーン内の全ＢＳは、レイヤ１及びレイヤ２レベルで完全に同期しているので、ＭＳはハンドオーバをせずにシームレスにコンテンツを受信することができる。さらに、ＭＣＢＣＳは、１対ｎのＩＰマルチキャストを利用したコンテンツ配信の仕組みであるので、少ない無線リソースで多数のＭＳにコンテンツを配信できる。
【００１１】
ＭＢＳゾーンが重複する場合、重複するＭＢＳゾーン間でコンテンツ配信のタイミング、フレーム構成を調整する必要がある。ＭＢＳにおいては、ＭＢＳゾーン内の全ＢＳ間で、コンテンツを配信する際の無線信号のビットレベル、フレームのビットレベルまで同期している必要がある。そのため、コンテンツの配信計画は、同じＢＳを含むＭＢＳゾーン、すなわち、地理的に重複するＭＢＳゾーンに含まれる全ＢＳが同期しなければならない。さらに、ある１つのＭＢＳゾーンに対して、地理的に重複するＭＢＳゾーンに加え、その、地理的に重複するＭＢＳゾーンに対して、さらに地理的に重複するＭＢＳゾーンに含まれるＢＳも同期しなければならない。図１では、ＭＢＳゾーン１に対して、ＭＢＳゾーン２とＭＢＳゾーン３が重複している。図１のＭＢＳゾーン１に新たに配信するコンテンツを設定する場合には、ＭＢＳゾーン２及びＭＢＳゾーン３に加え、ＭＢＳゾーン２及びＭＢＳゾーン３に対して重複するＭＢＳゾーンが存在する場合には、そのＭＢＳゾーンに
ついても考慮しなければならない。
【００１２】
しかしながら、既にＭＢＳゾーンにコンテンツが設定されているところに、新規にコンテンツを設定する場合に、どのＭＢＳゾーンで配信されるコンテンツとどのように調整を行うかの明確な方法がない。
【特許文献１】特開２００３−１５２６７９号公報
【発明の開示】
【発明が解決しようとする課題】
【００１３】
コンテンツ配信の計画方法には、以下のような方法が考えられる。
（方法１）テレビの番組表のようにコンテンツの配信枠を事前に固定的に設定する。初期設定で配信エリア（地域）、時間枠を決定、固定しておき、配信するコンテンツをその固定枠に設定する方式である。
（方法２）配信コンテンツの配信エリア、時間帯を自由に設定できる。配信コンテンツは文字情報、映像情報などを含む。
【００１４】
方法１では、これまでのテレビ番組のようにある程度の固定枠という形でしか枠を用意することができない。例えば、「配信エリア：東京２３区、配信時間：正午から１５分間」という配信枠を希望する交通情報のコンテンツの場合、「配信エリア：東京都、配信時間：正午から１３時まで」という固定枠しかないとすると、本来コンテンツ配信を望まない地域、時間帯にまでコンテンツを配信しなければならない。したがって、無線リソースを時間的にも地理的にも効率よく使用することができない。
【００１５】
ＷｉＭＡＸのＭＣＢＣＳでは、駅周辺などの非常に小さな配信エリア、市町村単位の中規模の配信エリア、全国エリアなどの大規模な配信エリアというように、配信エリアの設定は多様である。同様に、コンテンツの配信時間も、交通情報や天気情報等のように短時間のものから映像配信のように長時間のものまで多様である。従って、ＷｉＭＡＸのＭＣＢＣＳのコンテンツの配信計画は、方法２のような配信エリア及び配信時間帯を自由に設定、変更できる方法で実現されることが望ましい。
【００１６】
また、ＭＣＢＣＳでは、配信されるコンテンツ自体も、文字情報のみのデータサイズが小さいものから、映像などのデータサイズの大きいものまで多様である。コンテンツの配信計画は、配信エリア、配信時間帯に加えコンテンツの内容（データサイズ、種類等）まで考慮に入れる必要があるため、手動でコンテンツの配信計画を設定することは、システムとしてスケーラビリティに問題がある。そこで、コンテンツの配信計画は、方法２のような方法が、配信コンテンツの追加などに伴って装置によって行われることで実現されることが望ましい。
【００１７】
開示の配信システム、管理装置、及び管理方法の目的は、複数の基地局装置から複数の端末へ同一の情報を同時に配信する移動体通信網において、基地局装置が情報を送信するために必要となる要素を決定するアルゴリズムを提供することである。
【課題を解決するための手段】
【００１８】
開示の技術の態様の１つは、配信システムによって例示できる。本配信システムは、重複する時間枠に同一の情報を同期して配信する基地局装置と、基地局装置から配信されるべき情報の時間枠を設定する管理装置とを備える。尚、時間枠は、枠区間の列を含んでいる。この枠区間の列は、枠区間の整数倍で設定される繰り返し周期と、配信されるべき情報の配信が開始されるべき最初の繰り返し周期の開始位置に対して、実際に配信されるべき情報が配信される最初の前記枠区間の開始位置を示す遅延位置情報とにしたがって定められる。
【００１９】
本配信システムの基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成する。
【００２０】
本配信システムの管理装置は、以下の手段を有する。管理装置の手段の１つは、それぞれの配信されるべき情報に対して、必要帯域幅と、配信されるべき配信対象領域の指定を受ける。管理装置の手段の１つは、第１の配信されるべき情報の配信対象領域に対して重複関係にある配信対象領域を有し、前記第１の配信されるべき情報の時間枠が少なくとも一部重複する他の配信されるべき情報を特定する。管理装置の手段の１つは、前記第１の配信されるべき情報の必要帯域幅から前記繰り返し周期を算出する。管理装置の手段の１つは、前記他の配信されるべき情報の前記繰り返し周期を確保するとともに、前記第１の情報が配信される枠区間の列を、列相互の枠区間の重複を排除して形成する。尚、重複関係にある領域とは、（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域のことを定義したものである。
【００２１】
本配信システムでは、管理装置が、第１の配信されるべき情報の配信対象領域と重複関係にある配信対象領域を有し、第１の配信されるべき情報の時間枠が少なくとも一部重複する他の配信されるべき情報を特定する。特定された他の配信されるべき情報の繰り返し周期を確保するとともに、第１の配信されるべき情報が配信される枠区間の列を形成する。このとき、第１の配信されるべき情報の枠区間の列は、他の配信されるべき情報の枠区間の列と相互に重複を排除するように形成される。管理装置によって形成された枠区間の列によって、基地局装置が情報を送信することができる。
【発明の効果】
【００２２】
開示の配信システム、管理装置、及び管理方法の目的は、複数の基地局装置から複数の端末へ同一の情報を同時に配信する移動体通信網において、基地局装置が情報を送信するために必要となる要素を決定するアルゴリズムを提供することができる。
【発明を実施するための最良の形態】
【００２３】
以下、図面を参照して、開示の装置及びシステムの実施の形態を説明する。尚、実施の形態は例示であり、開示の装置及びシステムは、以下の実施の形態の構成には限定されない。
【００２４】
＜モバイルＷｉＭＡＸネットワークの構成例＞
図１は、モバイルＷｉＭＡＸネットワークの構成例を示す図である。図１のモバイルＷｉＭＡＸネットワークは、ＭＣＢＣＳを実現するために、ＭＢＳを実行するネットワークである。
【００２５】
モバイルＷｉＭＡＸネットワークは、ＣＳＮ２、ＡＳＮ３、及びＭＳ５から構成される。ＣＳＮ２及びＡＳＮ３は、モバイルＷｉＭＡＸにおける機能群であり、各機能を備えた装置の集合である。
【００２６】
ＣＳＮ２は、ＷｉＭＡＸサービスにおける、ＩＰコアネットワークの機能を担う機能群である。ＣＳＮ２の主な機能は、アドレス管理機能、モバイルＩＰのホームエージェント機能、及び他のネットワークとのプロキシ機能等がある。ＭＣＢＣＳにおいては、ＣＳＮ
２は、ＭＣＢＣＳサーバ２１を備える。
【００２７】
ＭＣＢＣＳサーバ２１は、配信予定のコンテンツを格納し、各ＡＳＮに配信するサーバである。コンテンツは、ＭＣＢＣＳの提供者（サービスプロバイダ等）が、事前にＭＣＢＣＳサーバ２１に登録しておいてもよいし、配信時間になると、ＭＣＢＣＳの提供者側のサーバから送信されてくるようにしてもよい。ＭＣＢＣＳサーバ２１は、コンテンツの配信開始時間を格納する配信表をメモリ等の記憶装置（図示せず）に具備しており、配信開始時間になると、配信予定のコンテンツを送信する。コンテンツは、ＩＰマルチキャストでＡＳＮ−ＧＷ３１に送信される。尚、ＭＣＢＣＳサーバ２１は、予めネットワーク遅延や、ＢＳのバッファ可能量等を考慮して、各ＢＳが同期して配信開始できる十分な時間（１〜３秒ほど）だけ早くコンテンツの送信を開始する。
【００２８】
ＡＳＮ３は、アクセスネットワークを提供する機能群である。ＡＳＮ３は、無線リソース管理、ＱｏＳ管理、ページング、ＣＳＮとのモビリティ管理、ＡＳＮ３内及びＡＳＮ３をまたぐモビリティ管理、セキュリティ等の役割を担う。ＡＳＮ３は、１つ又は複数のＡＳＮゲートウェイ（ＡＳＮ−ＧＷ）と、１つ又は複数のＢＳを含むことができる。図１では、ＡＳＮ３は、ＡＳＮゲートウェイ３１、ＡＳＮゲートウェイ３２、ＢＳ４１、ＢＳ４２、ＢＳ４３、ＢＳ４４を備える。
【００２９】
ＡＳＮゲートウェイ３１及びＡＳＮゲートウェイ３２は、ＡＳＮ３とＣＳＮ２とのゲートウェイである。ＡＳＮゲートウェイ３１及びＡＳＮゲートウェイ３２は、ＭＣＢＣＳ  ＰｒｏｘｙとＭＣＢＣＳ  ＤＰＦ（ＤａｔａＰａｔｈ  Ｆｕｎｃｔｉｏｎ）とを備える。ＭＣＢＣＳ  ＰｒｏｘｙとＭＣＢＣＳ  ＤＰＦとは、ＡＳＮゲートウェイ３１及びＡＳＮゲートウェイ３２が備える機能として実現されてもよい。また、ＭＣＢＣＳ  ＰｒｏｘｙとＭＣＢＣＳ  ＤＰＦとは、それぞれ独立した装置として実現されてもよい。図１では、ＭＣＢＣＳ  ＰｒｏｘｙとＭＣＢＣＳ  ＤＰＦとは、一体の装置であり、ＡＳＮゲートウェイ３１及びＡＳＮゲートウェイ３２内にそれぞれ実現されている。
【００３０】
ＭＣＢＣＳ  Ｐｒｏｘｙは、シグナリング制御を行う。また、ＭＢＳにおいては、ＭＣＢＣＳ  Ｐｒｏｘｙは、配下のＢＳに、コンテンツの配信時間、コンテンツのデータ量、フレームの構成等の情報を送信する。
【００３１】
ＭＣＢＣＳ  ＤＰＦは、ＭＣＢＣＳ  Ｐｒｏｘｙによって確立されたデータ通信用のセッションから配下のＢＳにデータを送信する。
【００３２】
ＢＳは、ＷｉＭＡＸを実装する基地局装置である。ＢＳは、ＭＳとの間に複数のコネクションを接続することができ、各コネクションは、ＣＩＤ（コネクション識別子）で識別される。ＭＢＳでコンテンツを配信する際には、同一ＭＢＳゾーンに属するＢＳは、同一ＣＩＤを用いてＭＳとコネクションを形成する。
【００３３】
ＭＳは、移動可能な端末である。ＭＳは、ＭＣＢＣＳを享受する際には、享受したいコンテンツを事前に登録する。この登録は、ＭＳの操作によりＭＳから行ってもよいし、サービス加入時にＭＳのユーザが登録してもよい。ＭＳは、ネットワークに接続した際や、ＭＣＢＣＳのアプリケーションを起動した際、もしくは定期的に、コンテンツ配信の番組表を受信する。ＭＳは、特定の基地局に位置登録をしなくても、ＭＢＳで配信されるフレームを受信することができる。また、同一ＭＢＳゾーン内であれば、シームレスでコンテンツを受信することができる（同一ＭＢＳゾーン内のＢＳは完全に同期しており、同一ＭＢＳゾーン内のどのＢＳからも全く同じ情報を受信することができる）。
【００３４】
＜コンテンツ配信の際の、重複するＭＢＳゾーン間での考慮点＞
図２は、ＭＣＢＣＳにおいてＭＳにコンテンツを配信する際の、重複するＭＢＳゾーン間での考慮点について説明する図である。図２では、ＭＢＳゾーン２からＭＢＳゾーン４が定義されている。ＭＢＳゾーン２は、ＢＳ４１とＢＳ４２とで定義されている。ＭＢＳゾーン３は、ＢＳ４３とＢＳ４４とで定義されている。ＭＢＳゾーン４は、ＭＢＳ４４で定義されている。図２において、ある時間帯に、ＭＢＳゾーン２ではコンテンツＢを、ＭＢＳゾーン３ではコンテンツＣを、ＭＢＳゾーン４ではコンテンツ４を配信している。そこに、ＢＳ４２とＢＳ４３で定義されるＭＢＳゾーン１に新規コンテンツＡを、コンテンツＢからコンテンツＤと重複する時間帯に追加する場合の考慮点について説明する。
【００３５】
ＷｉＭＡＸでは、無線インターフェイスとしてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を採用する。ＯＦＤＭＡは、利用する周波数帯域の電波を多数の搬送波（サブキャリア）に分割し、更に、それをタイムスロットでも分割し、一度に大量データを送信する方式である。１又は複数の一続きのタイムスロットを含むデータ転送の単位をフレームという。即ち、ＷｉＭＡＸでは、１つのフレームに複数の（ユーザの）データを格納して配信することができる。このフレーム内のデータ格納位置をフィールドという。そこで、新規コンテンツを配信する場合には、ＭＢＳゾーン内の各ＢＳから送信されるＷｉＭＡＸフレームのどのフィールドに新規コンテンツのデータを格納するか（「コンテンツの割り当て」と称する）を考慮しなければならない。即ち、新規コンテンツを設定するということは、ＷｉＭＡＸフレームへの新規コンテンツの割り当てを行うことである。
【００３６】
図２では、簡単のために、ＷｉＭＡＸフレームにＭＣＢＣＳのコンテンツを４つ格納できるフィールド（バースト１〜４）がある場合を示す。図２で、４つの矩形に区分されたボックスは、ＷｉＭＡＸフレーム内のフィールドを例示している。バーストとは、フレーム内のデータ転送用のブロックのことである。図２では、既に、コンテンツＢ、コンテンツＣ、及びコンテンツＤのフレームへの割り当てが決定されている。ＢＳ４２は、ＭＢＳゾーン２に含まれるので、フレームのバースト１にコンテンツＢのデータを格納して送信している。ＢＳ４３は、ＭＢＳゾーン３に含まれるので、フレームのバースト２にコンテンツＣのデータを格納して送信している。ＢＳ４４は、ＭＢＳゾーン３とＭＢＳゾーン４とに含まれるので、フレームのバースト２にコンテンツＣのデータを、フレームのバースト４にコンテンツＤのデータを格納して送信する。尚、同一ＭＢＳゾーン内のＢＳは、同期している必要があるため、図２では、ＭＢＳゾーン２のＢＳ４１とＢＳ４２とは、バースト１にコンテンツＢを格納している。同様にして、ＭＢＳゾーン３のＢＳ４３とＢＳ４４とは、バースト２にコンテンツＣを格納している。
【００３７】
新規コンテンツＡを設定するＭＢＳゾーン１は、ＭＢＳゾーン２及びＭＢＳゾーン３と重複する。ここでの重複とは、ＭＢＳゾーン１を定義するＢＳが、他のＭＢＳゾーンも定義することを意味する。例えば、ＭＢＳゾーン１を定義するＢＳ４２が、ＭＢＳゾーン２も定義することを意味する。以降、このようにＭＢＳゾーンが重複することを“地理的に重複する”と称する。また、ＭＢＳゾーン間でそれぞれが配信するコンテンツの配信時間が重複することを“時間的に重複する”と称する。
【００３８】
ＭＢＳゾーン１はＢＳ４２とＢＳ４３とを含むため、ＭＢＳゾーン１で配信される新規コンテンツＡのフレームへの割り当てを決定する場合には、ＢＳ４２とＢＳ４３とが配信するコンテンツのフレームへの割り当てについて考慮しなければならない。
【００３９】
ケース１は、ＭＢＳゾーン１で配信予定の新規コンテンツＡが各ＢＳから送信されるフレームのバースト１に割り当てられる場合である。この場合は、ＢＳ４３から送信されるフレームのバースト１には新規コンテンツＡのデータを格納できるが、ＢＳ４２から送信されるフレームのバースト1には、既にコンテンツＢのデータが格納されているため、新
規コンテンツＡのデータは格納できない。即ち、ＭＢＳゾーン１の各ＢＳから送信されるフレームのバースト1に新規コンテンツＡを割り当てることができない。
【００４０】
ケース２は、ＭＢＳゾーン１で配信予定の新規コンテンツＡが各ＢＳから送信されるフレームのバースト２に割り当てられる場合である。この場合には、ＢＳ４２から送信されるフレームのバースト２にはコンテンツＡのデータを格納できるが、ＢＳ４３から送信されるフレームのバースト２には既にコンテンツＣのデータが格納されているため、コンテンツＡのデータは格納できない。即ち、ＭＢＳゾーン１の各ＢＳから送信されるフレームのバースト２に新規コンテンツＡを割り当てることができない。
【００４１】
ケース３は、ＭＢＳゾーン１で配信される新規コンテンツＡが各ＢＳから送信されるフレームのバースト４に割り当てられる場合である。この場合、ＢＳ４２から送信されるフレームも、ＢＳ４３から送信されるフレームも、バースト４にコンテンツＡを格納することができる。ここで、ＢＳ４３が含まれるＭＢＳゾーン３に注目すると、ＭＢＳゾーン３には、ＢＳ４３の他にＢＳ４４が含まれる。ＢＳ４４から送信されるフレームのバースト４には、ＭＢＳゾーン４で配信されるコンテンツＤが割り当てられている。従って、ＢＳ４４から送信されるフレームのバースト４にＭＢＳゾーン４で配信されるコンテンツＤが割り当てられている場合には、ＢＳ４３から送信されるフレームのバースト４にいかなるコンテンツも格納することができない。
【００４２】
例えば、図２において、ＢＳ４３から送信されるフレームのバースト４にコンテンツＡのデータを格納する場合に生じる問題の例は、以下の通りである。
【００４３】
隣接するＢＳは、通常、電波が届かない場所を作らないために、ＢＳからの無線信号の到達範囲（セル）が重なり合うように配置される。例えば、ＢＳ４３のセルとＢＳ４４のセルとは、重なり合う範囲を有する。ＢＳ４３のセルとＢＳ４４のセルとが重なり合う範囲に位置するＭＳ５は、ＢＳ４３から送信されるフレームとＢＳ４４から送信されるフレームとの双方を受信する。例えば、ＢＳ４３のセル内に位置するＭＳ５は、ＭＢＳゾーン１とＭＢＳゾーン３とに属することになり、コンテンツＡとコンテンツＣを受信する。つまり、この場合、ＭＳ５はフレームのバースト４にはコンテンツＡのデータが格納されていると認識している。ＭＳ５がＢＳ４４のセルと重なり合う場所に移動すると、ＭＳ５はＭＳ４４から送信されるフレームも受信し始める。ＭＳ５はもともとＢＳ４３からコンテンツを受信していたので、フレームのバースト４にはコンテンツＡのデータが格納されていると認識している。しかし、実際には、ＭＳ５は、ＢＳ４３からバースト４にコンテンツＡが格納されたフレームと、ＢＳ４４からバースト４にコンテンツＤが格納されたフレームとを受信する。従って、ＭＳ５が認識する受信すべきコンテンツと、実際に受信するコンテンツとに矛盾が生じてしまう可能性がある。
【００４４】
従って、図４では、新規コンテンツＡを設定する場合には、新規コンテンツＡを配信予定のＭＢＳゾーン１と地理的に重複するＭＢＳゾーン２とＭＢＳゾーン３に加え、ＭＢＳゾーン３と地理的に重複するＭＢＳゾーン４も考慮する必要がある。
【００４５】
従って、ケース１からケース３によれば、新規にコンテンツを設定する場合には、重複するＭＢＳゾーンでは、各ＢＳから送信されるフレームが同期しなければならないので、以下に示すようなＭＢＳゾーンについて考慮する必要がある。
（１）新規コンテンツを設定するＭＢＳゾーンと地理的に重複するＭＢＳゾーン。
（２）上記（１）のＭＢＳゾーンと地理的に重複するＭＢＳゾーン。
（３）上記（２）のＭＢＳゾーンと地理的に重複するＭＢＳゾーン。（以下、繰り返し）
実際に考慮しなければならないＭＢＳゾーンは、上記（１）から（２）のＭＢＳゾーンのうち、新規コンテンツと配信時間が重複するコンテンツを配信するＭＢＳゾーンとなる
。
【００４６】
＜第１実施形態＞
本実施形態では、図１に示すＷｉＭＡＸのＭＢＳを実行するネットワークに、フレームへのコンテンツの割り当てを行うコンテンツ配信情報生成装置６（図１には示さず）を備える。コンテンツ配信情報生成装置６は、ネットワーク内に配信されるコンテンツの配信に係る情報（ＭＢＳバースト情報）を管理する装置である。コンテンツの配信に係る情報（ＭＢＳバースト情報）とは、コンテンツを配信するＭＢＳゾーン、コンテンツの配信時間、コンテンツのフレームの割り当て等の情報である。第１実施形態では、コンテンツ配信情報生成装置６は、独立した装置であるとする。
【００４７】
＜＜コンテンツ配信情報生成装置の構成例＞＞
図３は、コンテンツ配信情報生成装置６の構成例を示す図である。コンテンツ配信情報生成装置６（「管理装置」に相当）は、受信部６１、ゾーン抽出部６２、ＭＢＳゾーンマップ格納部６３、ＭＢＳバースト情報格納部６４、割当部６５、及び送信部６６を備える。
【００４８】
受信部６１は、フレームへの新規コンテンツの割り当てを要求するコンテンツ設定要求を受け付ける。コンテンツ設定要求には、新規コンテンツの、配信ＭＢＳゾーン、配信時間（配信開始時間、配信終了時間）、データ量、必要データ伝送速度等が含まれる。例えば、ネットワークを経由した先に、又は、受信部６１の先に入力装置（図示せず）が接続されている。ＭＣＢＣＳを提供する事業者の管理者が新規コンテンツの配信依頼を受けたときに、入力装置（図示せず）の画面オペレーション等に従って、新規コンテンツの情報を入力する。入力装置は、入力された新規コンテンツの情報を元にコンテンツ設定要求を生成し、コンテンツ配信情報生成装置６に送信する。
【００４９】
ゾーン抽出部６２は、コンテンツ設定要求を受け付けた場合に、フレームへの新規コンテンツの割り当ての際に考慮しなければならないＭＢＳゾーンのＭＢＳゾーンＩＤを抽出する。ゾーン抽出部６２の動作の詳細は、後述する。
【００５０】
ＭＢＳゾーンマップ格納部６３は、ＭＢＳゾーンマップ、及び、ＭＢＳゾーンとＢＳとの対応表を格納する。ＭＢＳゾーンとＢＳとの対応表には、例えば、ＭＢＳゾーン１とＭＢＳゾーン１を定義するＢＳとが対応付けられている。ＭＢＳゾーンマップとは、ＭＢＳゾーンと、そのＭＢＳゾーンを定義するＢＳと、そのＭＢＳゾーンで配信されるコンテンツとを対応付けたマップである。例えば、図４等（後述する）である。
【００５１】
割当部６５は、コンテンツ設定要求を受け付けた場合に、ゾーン抽出部６２から、考慮しなければならないＭＢＳゾーンＩＤを受け取り、それらのＭＢＳゾーンを考慮して、フレームへの新規コンテンツの割り当てを行う。詳しくは、後述する。
【００５２】
ＭＢＳバースト情報格納部６４は、ＭＢＳバースト情報を格納する。ＭＢＳバースト情報には、ＢＳがそのコンテンツを配信するために必要な情報が格納されている。ＭＢＳバースト情報は、例えば、コンテンツ毎の、配信ＭＢＳゾーンＩＤ、配信時間（配信開始時間と配信終了時間）、オフセット値、遅延フレーム値、ＭＢＳバースト等の情報である。ＭＢＳバースト情報の詳細については、後述する。
【００５３】
送信部６６は、ネットワーク又は出力装置（図示せず）とのインターフェイスである。送信部６６は、例えば、コンテンツ設定要求の送信元に対して、新規コンテンツの設定完了を示す応答を送信したり、新規コンテンツのＭＢＳバースト情報を必要とする装置に送信したりする。
【００５４】
コンテンツ配信情報生成装置６は、例えば、ＣＰＵやメモリ等を備えた、コンピュータやネットワーク装置として実現される。受信部６１、ゾーン抽出部６２、割当部６５、及び送信部６６は、それぞれ、ＣＰＵの機能として、又は、専用の動作を行う電気回路が格納されたＩＣチップ等により実現される。ＭＢＳゾーンマップ格納部６３及びＭＢＳバースト情報格納部６４は、ＲＡＭ（Ｒａｎｄａｍ  Ａｃｃｅｓｓ  Ｍｅｍｏｒｙ）やフラッシュメモリ等の読み書き可能な記録媒体によって実現される。
【００５５】
態様の「指定を受ける手段」は、受信部６１によって実現される。態様の「他の配信されるべき情報を特定する手段」は、ゾーン抽出部６２と割当部６５によって実現される。態様の「周期算出手段」、「枠区間列形成手段」は、割当部６５によって実現される。
【００５６】
＜＜ＭＢＳゾーンマップ＞＞
図４は、ＭＢＳゾーンマップ格納部６３に格納されるＭＢＳゾーンマップの例を示す図である。ゾーン抽出部６２は、ＭＢＳゾーンマップを参照して、新規コンテンツの配信依頼をされたＭＢＳゾーンを元に、フレームへの新規コンテンツの割り当てを行う際に考慮しなければならないＭＢＳゾーン（ＭＢＳゾーンＩＤ）を抽出する。
【００５７】
図４に示されるＭＢＳゾーンマップは、横軸はＢＳＩＤを、縦軸はタイムスロットを示す。図４での縦軸のタイムスロットは、例えば、１時間単位（図４では、０時から１８時まで１時間区切り）を示す。図４では、横をコンテンツを配信するＭＢＳゾーンを定義するＢＳ、縦をコンテンツの配信時間とする四角形でコンテンツを示している。図４のコンテンツを示す四角形には、ＭＢＳゾーンＩＤを数字で、コンテンツＩＤをアルファベットの括弧書きで示す。図４に示されるＭＢＳゾーンマップでは、例えば、ＢＳＩＤが４から９までのＢＳによって定義されるＭＢＳゾーン５は、３時から５時までコンテンツＥを配信することを示す。例えば、ＢＳＩＤが１１から１４までのＢＳによって定義されるＭＢＳゾーン２は、７時から９時までコンテンツＢを配信し、９時から１５時までコンテンツＫを配信する。
【００５８】
尚、コンテンツ配信情報生成装置６が保持するＭＢＳゾーンマップに示されるＢＳは、通信事業者がサービスを提供する全地域に配置されるＢＳであってもよい。又は、通信事業者の地方の事業所（例えば、関東、関西など）が管理する地域に配置されるＢＳであってもよい。各ＢＳには、ＢＳ自身を識別するＢＳＩＤの他に、ＢＳが属する事業所を識別する事業所ＩＤや、事業所が管理する地域よりも狭い地域（例えば、市区町村など）を示す地域ＩＤ等の管理用のＩＤが付されている（図示せず）。
【００５９】
＜＜ＭＢＳバースト情報＞＞
図５は、フレームマップ格納部６４に格納される、ＭＢＳバースト情報の例を示す。ＭＢＳバースト情報とは、例えば、コンテンツ毎に、コンテンツＩＤ、配信されるＭＢＳゾーンＩＤ、配信開始時間、配信終了時間、オフセット値、遅延フレーム数、データ格納先のＭＢＳバースト等を対応付けたものである。例えば、コンテンツＢは、配信ＭＢＳゾーンＩＤは２、配信開始時間は７時、配信終了時間は９時、オフセットは４、遅延フレーム数は２、データ格納先のＭＢＳバーストは２である。コンテンツＩＤは、コンテンツを識別するために付される識別子である。オフセット値、遅延フレーム数、ＭＢＳバーストについては後述する。
【００６０】
図６は、各ＢＳから送信されるＷｉＭＡＸフレームの構成例を示す図である。図６では、横軸はシンボルを示し、縦軸はサブチャネルを示す。シンボルとは、フレーム（「枠区間」の相当）を時間で分割したものである。サブチャネルは、利用する周波数帯域の電波を多数の搬送波（サブキャリア）に分割したものである。
【００６１】
ＭＢＳバースト（ＭＢＳ  Ｂｕｒｓｔ、「副伝送帯」に相当）とは、シンボルとサブチャネルとで定義される、転送データが格納される場所の単位である。ＭＢＳバーストを定義するシンボルとサブチャネルとの組み合わせは他数存在し、フレーム中のＭＢＳバーストごとにサイズが違っていてもよい。図６では、簡単のために、ＭＢＳバーストを２シンボル×１９タイムスロットのサイズと定義し、フレーム中のＭＢＳバーストのサイズは１種類のみとする。ＭＢＳバーストとして使用されるのは、通常、シンボルの番号の末尾の方であるため、ＭＢＳバーストにはフレームの末尾から小さい順に番号が付される。ＢＳから送信されるＷｉＭＡＸフレームには、多数のデータが格納される。ＢＳが、ＭＢＳを実行する場合でも、ＭＢＳのコンテンツのデータを格納する領域と、ユニキャストで配下のＭＳに転送するデータを格納する領域とを分けて使用する。例えば、図６では、ＭＢＳのコンテンツ配信用としてＭＢＳバースト１から８まで（シンボル１３から２８まで）を使用し、それ以外はユニキャストで配下のＭＳに転送するデータを格納する領域として使用する。
【００６２】
ＷｉＭＡＸフレームにＭＢＳのコンテンツのデータを格納する場合には、１つ以上のＭＢＳバーストから構成される１つのＭＢＳリージョンに対して１つのコンテンツのデータを格納する。即ち、１つのＷｉＭＡＸフレームに格納できるコンテンツの数は、ＭＢＳリージョンの数と同数になる。ＭＢＳリージョンのサイズ（ＭＢＳバーストの数）は、ＭＢＳリージョン毎に、格納するデータ量に応じて設定可能である。例えば、１つのＭＢＳリージョンは３つのＭＢＳバーストから構成され、また、別のＭＢＳリージョンは１つのＭＢＳバーストから構成されるなどである。ＭＢＳリージョンとＭＢＳバーストとの対応付けは、事前にＭＳに通知される。第１実施形態では、簡単のため、ＭＢＳリージョンは１つのＭＢＳバーストによって構成されることとする（ＭＢＳリージョン＝ＭＢＳバーストである）。
【００６３】
ＭＢＳバーストアロケーションとは、フレーム中のＭＢＳ配信用として使用するＭＢＳバーストの数を示す。例えば、「ＭＢＳバーストアロケーションが２」とは、フレーム中の、例えば、ＭＢＳバースト１とＭＢＳバースト２のような２つのＭＢＳバーストを使用することを示す。
【００６４】
図７Ａから図７Ｃは、オフセット値と遅延フレーム数を説明する図である。オフセット値（「繰り返し周期」に相当）とは、ＢＳから送信されるフレームの中で、あるコンテンツのデータを格納するフレームが流される周期を示す値である。例えば、オフセット値が４であるコンテンツＢ（図５参照）の場合には、コンテンツＢのデータを格納するフレームが４フレーム毎に現れることを示す。オフセット値が１とは、ＢＳから送信される全フレームに、そのコンテンツのデータが格納されることを示す。オフセット値が２とは、ＢＳから送信されるフレームの２フレーム毎に、そのコンテンツのデータが格納されることを示す。即ち、オフセットの値が小さいほど、そのデータを格納するフレームの送信頻度が高くなり、大容量のデータを送信することができる。
【００６５】
遅延フレーム数（「遅延位置情報」に相当）とは、基準となる時点からの、あるコンテンツが格納されるフレームの送信が開始されるまでの遅延をフレームの数で示す値である。遅延フレーム数が０の場合は、基準となる時点にコンテンツが格納されているフレームの送信が開始されることを示す。遅延フレーム数が１の場合には、基準となる時点から１フレーム分だけ遅れて、コンテンツが格納されているフレームの送信が開始されることを示す。基準となる時点には、例えば、コンテンツの配信開始時間を設定する。尚、ＷｉＭＡＸの１フレーム当たりの時間は、５ミリ秒と短いため、配信開始時間から数十ミリ秒の遅延（人間が感じ取れないくらいの十分短い遅延）は、サービスとして許容される。
【００６６】
図７Ａから図７Ｃは、ＭＢＳバーストアロケーションが２の場合を示す。即ち、第１実施形態では、１つのＭＢＳリージョンは１つのＭＢＳバーストから構成されるため、図７Ａから図７Ｃの場合には、１つのフレームに２つのコンテンツを格納する場合を示す。
【００６７】
図７Ａは、オフセット値が１のコンテンツＡ及びコンテンツＢを配信する場合の、ＢＳから送信されるフレームＦ１１からＦ１７までのシーケンスの例を示す図である。フレームＦ１１には、ＭＢＳバースト１にコンテンツＡ、ＭＢＳバースト２にコンテンツＢが格納されている。コンテンツＡ及びコンテンツＢのオフセット値が１であるので、フレームＦ１１に続くフレームＦ１２のＭＢＳバースト１にはコンテンツＡ、ＭＢＳバースト２にコンテンツＢが格納される。このようにして、フレームＦ１２に続くフレームＦ１３以降のフレームの構成も、フレームＦ１１と同様の構成になる。即ち、図７Ａの場合、ＢＳから送信されるフレームのシーケンスは、フレームＦ１１の構成が繰り返されることになる。また、コンテンツＡ及びコンテンツＢは基準時間（配信開始時間）に送信されるフレームＦ１１に格納されるため、コンテンツＡ及びコンテンツＢの遅延フレーム数は０となる。従って、図７Ａの場合の、コンテンツＡのＭＢＳバースト情報は、オフセット値が１、遅延フレーム数が０、データ格納先のＭＢＳバーストが１となる。同様にして、コンテンツＢのＭＢＳバースト情報は、オフセット値が１、遅延フレーム数が０、データ格納先のＭＢＳバーストが２となる。
【００６８】
図７Ａでは、フレームＦ１２以降のフレーム構成は、フレームＦ１１の構成が繰り返される。従って、オフセット値が１のコンテンツの遅延フレーム数として許容される値は０のみである。図７Ａの場合には、フレームＦ１１の構成が決まれば、フレームＦ１１以降のフレーム構成は予測可能である。
【００６９】
図７Ｂは、オフセット値が２のコンテンツＡからコンテンツＤを配信する場合の、ＢＳから送信されるフレームＦ２１からフレームＦ２７までのシーケンスの例を示す図である。フレームＦ２１には、ＭＢＳバースト１にコンテンツＡ、ＭＢＳバースト２にコンテンツＢを格納される。コンテンツＡ及びコンテンツＢのオフセット値は２であるので、フレームＦ２１から２フレーム後に送信されるフレームＦ２３にも、ＭＢＳバースト１にコンテンツＡ、ＭＢＳバースト２にコンテンツＢが格納される。
【００７０】
配信コンテンツのオフセット値が１の場合には、フレームＦ２２の構成はフレームＦ２１と同じ構成となった。しかし、図７Ｂは、配信コンテンツのオフセット値が２であるので、フレームＦ２２の構成はフレームＦ２１の構成とは異なる。図７Ｂの場合には、フレームＦ２２のＭＢＳバースト１にはコンテンツＣ、フレームＦ２２のＭＢＳバースト２にはコンテンツＤが格納される。コンテンツＣ及びコンテンツＤもオフセット値が２であるので、フレームＦ２２から２フレーム後に送信されるフレームＦ２４のＭＢＳバースト１にコンテンツＡ、ＭＢＳバースト２にコンテンツＤが格納される。フレームＦ２２は、基準時間（配信開始時間）から１フレーム分遅れたフレームであるので、コンテンツＣ及びコンテンツＤの遅延フレーム数は１となる。
【００７１】
従って、図７Ｂの場合の、コンテンツＡのＭＢＳバースト情報は、オフセット値が２、遅延フレーム数が０、データ格納先のＭＢＳバーストが１となる。同様にして、コンテンツＢのＭＢＳバースト情報は、オフセット値が２、遅延フレーム数が０、データ格納先のＭＢＳバーストが２となる。コンテンツＣのＭＢＳバースト情報は、オフセット値が２、遅延フレーム数が１、データ格納先のＭＢＳバーストが１となる。コンテンツＤは、オフセット値が２、遅延フレーム数が１、データ格納先のＭＢＳバーストが２となる。従って、オフセット値が２のコンテンツの遅延フレーム数として許容される値は０と１である。
【００７２】
図７Ｂでは、フレームＦ２３以降のフレーム構成は、フレームＦ２１とフレームＦ２２
との組み合わせが繰り返される。即ち、図７Ｂの場合には、基準時刻（配信開始時間）から２フレーム（フレームＦ２１及びフレームＦ２２）の構成が決定すると、それ以降（フレームＦ２３以降）のフレームの構成は予測可能である。
【００７３】
図７Ｃは、オフセット値が１のコンテンツＡと、オフセット値が２のコンテンツＢ及びコンテンツＣとが配信される場合の、ＢＳから送信されるフレームのシーケンスの例を示す図である。フレームＦ３１は、ＭＢＳバースト１にコンテンツＡ、ＭＢＳバースト２にコンテンツＢを格納する。コンテンツＡのオフセット値は１であるので、フレームＦ３２のＭＢＳバースト１にはコンテンツＡが格納される。また、同様にして、フレームＦ３３、フレームＦ３４と続くフレームのＭＢＳバースト１にはコンテンツＡが格納される。コンテンツＢのオフセット値は２であるので、フレームＦ３１から２フレーム後に送信されるフレームＦ３３のＭＢＳバースト２にはコンテンツＢが格納される。フレームＦ３２には、ＭＢＳバースト１にコンテンツＡ、ＭＢＳバースト２にコンテンツＣが格納される。フレームＦ３２にから２フレーム後に送信されるフレームＦ３４のＭＢＳバースト２にはコンテンツＣが格納される。
【００７４】
従って、図７Ｃの場合の、コンテンツＡのＭＢＳバースト情報は、オフセット値が１、データ格納先の遅延フレーム数が０、ＭＢＳバーストが１となる。コンテンツＢのＭＢＳバースト情報は、オフセット値が２、遅延フレーム数が０、データ格納先のＭＢＳバーストが２となる。コンテンツＣのＭＢＳバースト情報は、オフセット値が２、遅延フレーム数が１、データ格納先のＭＢＳバーストが２となる。
【００７５】
図８は、オフセット値を決定する際の指標となる表の例を示す図である。オフセット値をいくつにするかは、コンテンツの内容（データ量、必要転送速度等）によって決まる。図８に示す表は、オフセット値を決定する指標となる値が格納されている。図８では、図６で示したフレーム構成のフレームが５ミリ秒の長さであり、１シンボル当たり送信できるデータ量は１８０キロバイトの場合を示す。図８の表には、データ転送速度（Ｋｂｐｓ）、１０分間で送信できるデータ量（Ｋｂｙｔｅ）、及び最適なオフセット値が示される。例えば、配信するコンテンツがワンセグ放送（携帯電話、移動体端末向けの1セグメン
ト部分受信サービス）の場合には、オフセット値として４０以下が選択される。ワンセグ放送は、最大４１６ｋｂｐｓであるので、４１６ｋｂｐｓよりも大きいデータ転送速度に対応できるオフセット値であればよい。
【００７６】
尚、オフセット値は、計算の煩雑化を避けるために、「０＝コンテンツを送信する単位時間のフレーム数ｍｏｄｕｌｏオフセット値」の式を満たす値とする。例えば、コンテンツを送信する単位時間を１秒、１フレームの送信時間を５ミリ秒とすると、コンテンツを送信する単位時間のフレーム数は１（秒）÷０．００５（秒）＝２００（フレーム）となる。即ち、この場合、２００の約数のみがオフセット値として使用可能な値となる。
【００７７】
以上のことから、コンテンツのオフセット値、遅延フレーム数、データ格納先のＭＢＳバーストは、コンテンツがＢＳから送信されるタイミングを決定するパラメータとなる。即ち、ＢＳは、コンテンツのＭＢＳバースト情報によって、そのコンテンツを送信するタイミングの情報を得ることができる。従って、フレームへのコンテンツの割り当てとは、ＭＢＳバースト情報の生成、すなわち、コンテンツをＢＳから送信するタイミングを決定することである。
【００７８】
＜＜コンテンツ配信情報生成装置の動作例＞＞
フレームへの新規コンテンツの割り当てを行う場合のコンテンツ配信情報生成装置６の動作について、図４、図５、図９、図１０、及び図１１を参照して説明する。
【００７９】
コンテン配信情報生成装置６は、図４に示されるＭＢＳゾーンマップをＭＢＳゾーンマップ格納部６３に格納し、図５に示されるＭＢＳバースト情報をＭＢＳバースト情報格納部６４に格納しているとする。この状態のときに、新規コンテンツＡのフレームへの割り当てを行う、即ち新規コンテンツＡのＭＢＳバースト情報を生成する場合を例として説明する。
【００８０】
図９は、新規コンテンツＡに関する情報の例を示す図である。新規コンテンツＡは、ＭＢＳゾーン１に、４時から１０時まで配信を希望するコンテンツである。図１０は、新規コンテンツのＭＢＳバースト情報を生成する場合のコンテンツ配信情報生成装置６の動作フローの例を示す図である。
【００８１】
コンテンツ配信情報生成装置６の受信部６１が、新規コンテンツＡのコンテンツ設定要求を受け付けると、ゾーン抽出部６２にこのコンテンツ設定要求に含まれる情報を渡す（ＯＰ１）。このときコンテンツ設定要求に含まれる情報は、新規コンテンツＡの、配信ＭＢＳゾーン（ＭＢＳゾーン１）、配信開始時間（４時）、配信終了時間（１０時）、データ量、必要データ転送速度等である。
【００８２】
ゾーン抽出部６２は、コンテンツ設定要求に含まれる情報に基づいて、新規コンテンツＡのＭＢＳバースト情報の生成を行う際に考慮すべきＭＢＳゾーンを抽出する（ＯＰ２）。考慮すべきＭＢＳゾーンの抽出は以下の通りである。
【００８３】
図１１は、考慮すべきＭＢＳゾーンの抽出処理の動作フローの例を示す図である。ゾーン抽出部６２は、コンテンツ設定要求に含まれる情報に基づいて、新規コンテンツＡをＭＢＳゾーンマップに追加する（ＯＰ３１）。即ち、新規コンテンツＡのコンテンツ設定要求に含まれる、新規コンテンツＡの配信ＭＢＳゾーン、配信開始時間、配信終了時間とから、新規コンテンツＡをＭＢＳゾーンマップに追加する。
【００８４】
ゾーン抽出部６２は、新規コンテンツＡのＭＢＳゾーン１を定義するＢＳを、ＭＢＳゾーンとＢＳとの対応表から取得する。横をＭＢＳゾーン１を定義するＢＳ（ＢＳ８からＢＳ１２）、縦をコンテンツＡの配信時間（４時から１０時まで）としてコンテンツＡを四角形で示し、図４のＭＢＳゾーンマップに追加する。図４のＭＢＳゾーンマップでは、新規コンテンツＡを表す四角形を太線で示す。
【００８５】
次に、ゾーン抽出部６２は、ＭＢＳゾーンマップを参照し、新規コンテンツＡを配信するＭＢＳゾーン１と、地理的に重複するＭＢＳゾーンを抽出する（ＯＰ３２）。図４では、ＭＢＳゾーン１と地理的に重複するＭＢＳゾーン２、ＭＢＳゾーン３、ＭＢＳゾーン５、ＭＢＳゾーン８、ＭＢＳゾーン９が抽出される。
【００８６】
ゾーン抽出部６２は、抽出されたＭＢＳゾーンと、さらに地理的に重複するＭＢＳゾーンを抽出する（ＯＰ３３）。例えば、図４では、ＯＰ３２で抽出されたＭＢＳゾーン３と地理的に重複するＭＢＳゾーン４、ＯＰ３２で抽出されたＭＢＳゾーン２と地理的に重複するＭＢＳゾーン６がさらに抽出される。
【００８７】
ゾーン抽出部６２は、ＯＰ３３で抽出されたＭＢＳゾーンと地理的に重複するＭＢＳゾーンがあるか否かを判定する（ＯＰ３４）。ＯＰ３３で抽出されたＭＢＳゾーンと地理的に重複するＭＢＳゾーンがある場合には（ＯＰ３４：Ｙｅｓ）、ＯＰ３３に処理が戻る。例えば、図４では、ＭＢＳゾーン４、又は、ＭＢＳゾーン６に重複するＭＢＳゾーンがあるので、処理がＯＰ３３に進み、ＭＢＳゾーン６と地理的に重複するＭＢＳゾーン７が抽出される。
【００８８】
ＯＰ３３で抽出されたＭＢＳゾーンと地理的に重複するＭＢＳゾーンがない場合には（ＯＰ３４：Ｎｏ）、ゾーン抽出部６２は、抽出された全ＭＢＳゾーンから、新規コンテンツと配信時間（開始時間から終了時間まで）が重複しないＭＢＳゾーンを排除する（ＯＰ３５）。例えば、図４では、抽出されたＭＢＳゾーンから、新規コンテンツＡと配信時間が重複しないＭＢＳゾーン４、ＭＢＳゾーン６、ＭＢＳゾーン９が排除される。
【００８９】
ＯＰ３１からＯＰ３５の処理によって、考慮すべきＭＢＳゾーンが抽出される。例えば、図４では、考慮すべきＭＢＳゾーンとして、ＭＢＳゾーン２、ＭＢＳゾーン３、ＭＢＳゾーン５、ＭＢＳゾーン７、ＭＢＳゾーン８、及び、新規コンテンツＡを配信予定のＭＢＳゾーン１が抽出される。
【００９０】
図１０に戻って、ゾーン抽出部６２が、考慮すべきＭＢＳゾーンを抽出すると、割当部６５は、考慮すべきコンテンツのＭＢＳバースト情報を抽出する（ＯＰ３）。割当部６５は、ＭＢＳゾーンＩＤを検索キーとして、考慮すべきＭＢＳゾーンで配信されるコンテンツのＭＢＳバースト情報を抽出する。さらに、割当部６５は、抽出されたコンテンツのＭＢＳバースト情報の中から、新規コンテンツＡと配信時間が重複するコンテンツのＭＢＳバースト情報を抽出して、考慮すべきコンテンツのＭＢＳバースト情報とする。
【００９１】
例えば、図５で示されるＭＢＳバースト情報がＭＢＳバースト情報格納部６４に格納されている場合、割当部６５は、考慮すべきＭＢＳゾーンで配信されるコンテンツのＭＢＳバースト情報として、コンテンツコンテンツのＭＢＳバースト情報として、コンテンツＢ、Ｃ、Ｅ、Ｇ、Ｈ、Ｊ、Ｋ、Ｌを抽出する。この中から、割当部６５は、新規コンテンツＡの配信時間（４時から１０時）と重複するコンテンツＢ、Ｃ、Ｅ、Ｇ、Ｈ、ＫのＭＢＳバースト情報を抽出する。
【００９２】
次に、割当部６５は、新規コンテンツＡのコンテンツ設定要求に含まれる情報から、新規コンテンツＡの最大オフセット値とデータ格納先のＭＢＳバーストとを決定する（ＯＰ４）。コンテンツ設定要求に含まれる新規コンテンツＡのデータ量、必要データ転送速度等から、図８に示すオフセット値を決定する指標を参照して、最大オフセット値を決定する。最大オフセット値としているのは、実際に用いられるオフセット値が最大オフセット値よりも小さければ、新規コンテンツＡを配信するには十分の配信可能なデータ量とデータ伝送速度を得られるからである。コンテンツＡのデータ量等に基づいて、コンテンツＡのデータを格納する先となるＭＢＳバーストを決定する。ＭＢＳリージョンによって格納できるデータ量に違いがある場合があるからである（尚、第１実施形態では、どのＭＢＳリージョンも１つのＭＢＳバーストから構成されていると想定しているため、ＭＢＳバーストとはＭＢＳリージョンを示し、いずれのＭＢＳバーストも格納できるデータ量は同じである）。新規コンテンツを格納するＭＢＳバーストは、管理者によって指定されてもよい。例えば、新規コンテンツＡの最大オフセット値は４、データ格納先のＭＢＳバーストは１と決定されたとする（図９参照）。
【００９３】
ＯＰ４の処理が終了した時点で、新規コンテンツＡのＭＢＳバースト情報の要素のうち、配信ＭＢＳゾーン（ＭＢＳゾーン１）、配信開始時間（４時）、配信終了時間（１０時）、ＭＢＳバースト（ＭＢＳバースト１）が決定される。オフセット値と遅延フレーム数とについては、新規コンテンツＡと配信時間が重複する、ＯＰ３において抽出された考慮すべきコンテンツのＭＢＳバースト情報との関係で決定される。従って、この時点では、新規コンテンツＡのオフセット値と遅延フレーム数とは、未決定（ｐｅｎｄｉｎｇ）である。フレームへの新規コンテンツの割り当てとは、新規コンテンツのＭＢＳバースト情報を生成する、すなわち、オフセット値と遅延フレーム数とを決定することと同義である。
【００９４】
抽出されたコンテンツのＭＢＳバースト情報をもとに、割当部６５は、新規コンテンツ
ＡのＭＢＳバースト情報の生成を行う（ＯＰ５からＯＰ９）。新規コンテンツＡのＭＢＳバースト情報の生成は以下の通りである。
【００９５】
フレームマップ更新部６５は、抽出したコンテンツのＭＢＳバースト情報をもとに、ビットマップを作成する（ＯＰ５）。
【００９６】
図１２は、ビットマップの例を示す図である。ビットマップは、新規コンテンツのＭＢＳバースト情報中の、オフセット値、遅延フレーム数を決定するために使用される。
【００９７】
図１２に示すビットマップでは、簡単のために、ＭＢＳバーストアロケーションを２とした場合について示す。ビットマップは横軸が遅延フレーム数、縦軸がオフセット値を示す。ビットマップ中の、遅延フレーム数とオフセット値とで決められるセルは、フレームを示す。フレームは更にＭＢＳバーストアロケーションで決められるＭＢＳバーストの数だけ分割されて、ＭＢＳバーストの番号とチェックボックスとが備えられる。チェックボックスには、オフセット値と遅延フレーム数とＭＢＳバーストとで決定されるタイミングでＢＳからコンテンツが送信される場合には、チェック記号が格納される。その位置にコンテンツを割り当てることが不可能な場合にはバツ記号が格納される。尚、図１２のビットマップには、各オフセット値において許容される遅延フレーム数の位置のフレームのみが示される（例えば、オフセット値が４の場合は遅延フレーム数０から３のみ）。オフセット値分以降のフレームは繰り返しになるためである。また、図１２では、オフセット値としてとり得る値が１、２、４、８である場合を示す。
【００９８】
例えば、ＯＰ３で抽出したコンテンツのＭＢＳバースト情報に基づいてビットマップを作成する場合について説明する。以降、各コンテンツのオフセット値、遅延フレーム数、及びデータ格納先のＭＢＳバーストの値の組み合わせを、（オフセット値、遅延フレーム数、ＭＢＳフレーム）と示す。
【００９９】
例えば、コンテンツＢのＭＢＳバースト情報より（図５参照）、コンテンツＢは、（オフセット値、遅延フレーム数、ＭＢＳバースト）＝（４、２、２）であるので、ビットマップの該当位置にチェック記号を格納する。このとき、ビットマップの（オフセット値、遅延フレーム数、ＭＢＳバースト）＝（１、０、２）、（２、０、２）、（８、２、２）、（８、６、２）の位置には、コンテンツ割り当て不可を示すバツ記号を格納する。これらの位置（タイミング）は、実際にＢＳからフレームが送信される際に、コンテンツＢが格納される位置（コンテンツＢが送信されるタイミング）だからである。
【０１００】
同様にして、例えば、コンテンツＣは、（オフセット値、遅延フレーム数、ＭＢＳバースト）＝（８、７、２）であるので、ビットマップの該当位置にチェック記号を格納する。このとき、（オフセット値、遅延フレーム数、ＭＢＳバースト）＝（１、０、２）、（２、１、２）、（４、３、２）の位置には、コンテンツ割り当て不可を示すバツ記号を格納する。これらの位置は、実際にＢＳからフレームが送信される際に、コンテンツＣが格納される位置だからである。
【０１０１】
以上説明した処理を、抽出したコンテンツのＭＢＳバースト情報の分だけ繰り返す。尚、ビットマップ作成の詳細については後述する。
【０１０２】
抽出した全コンテンツのＭＢＳバースト情報について、上記処理が完了すると、ビットマップが完成する。ビットマップの中で、チェック記号もバツ記号も格納されていないチェックボックスは、新規コンテンツＡの配信時間を通じて、どのコンテンツも割り当てられていない（空いている）ことを示す。即ち、新規コンテンツＡの配信時間を通じて、そのタイミングではどのコンテンツも送信されないことを示す。
【０１０３】
図１０に戻って、ビットマップが完成したら、割当部６５は、新規コンテンツＡの割り当て、すなわち、新規コンテンツＡのオフセット値と遅延フレーム数とを決定するために、ビットマップ中の空いているチェックボックスを検索する（ＯＰ６からＯＰ１０）。
【０１０４】
割当部６５は、変数ｈを新規コンテンツＡの最大オフセット値（＝４）、変数ｉを遅延フレーム数として設定する。変数ｉの初期値として０を与える（ＯＰ６）。
【０１０５】
次に、割当部６５は、ビットマップの（オフセット値、遅延フレーム数、ＭＢＳバースト）＝（ｈ、ｉ、ＭＢＳバースト（既値））＝（４、０、１）のチェックボックスが空いているか判定する（ＯＰ７）。即ち、該当位置に新規コンテンツＡを割り当てられるかを判定する。図１２に示すビットマップの（オフセット値、遅延フレーム数、ＭＢＳバースト）＝（４、０、１）のチェックボックスは、バツ記号が格納されており、新規コンテンツＡを割り当てることができないため、処理がＯＰ８に進む。
【０１０６】
該当位置に新規コンテンツＡを割り当てられなかった場合には（ＯＰ７：Ｎｏ）、割当部６５は、変数ｉに１を加算する（ＯＰ８）。変数ｉは１を加算されてｉ＝１となる。
【０１０７】
割当部６５は、１を加算した変数ｉが変数ｈ以上か否かを判定する（ＯＰ９）。変数ｉは１であり、変数ｈは４であることから、変数ｉは変数ｈよりも小さいので（ＯＰ９：Ｎｏ）、処理がＯＰ７に戻る。
【０１０８】
割当部６５は、ビットマップの（オフセット値、遅延フレーム数、ＭＢＳバースト）＝（ｈ、ｉ、ＭＢＳバースト（既値））＝（４、１、１）の位置に新規コンテンツＡが割り当てられるか否か判定する（ＯＰ７）。図１２のビットマップの（オフセット値、遅延フレーム数、ＭＢＳバースト）＝（４、１、１）の位置にはチェック記号が格納されており、新規コンテンツＡを割り当てることができないので（ＯＰ７：Ｎｏ）、処理がＯＰ８に進む。
【０１０９】
割当部６５は、変数ｉに１を加算して２とする（ＯＰ８）。変数ｉは変数ｈよりも小さいので（ＯＰ９：Ｎｏ）、処理がＯＰ７に戻る。
【０１１０】
割当部６５は、ビットマップの（オフセット値、遅延フレーム数、ＭＢＳバースト）＝（ｈ、ｉ、ＭＢＳバースト（既値））＝（４、２、１）の位置に新規コンテンツＡが割り当てられるか否か判定する（ＯＰ７）。図１２のビットマップの（オフセット値、遅延フレーム数、ＭＢＳバースト）＝（４、２、１）の位置のチェックボックスには、チェック記号もバツ記号も格納されていないので、新規コンテンツＡを割り当てることができる（ＯＰ７：Ｙｓｅ）。
【０１１１】
該当箇所に新規コンテンツＡを割り当てることができる場合には（ＯＰ７：Ｙｅｓ）、オフセット値をその時の変数ｈの値、遅延フレーム数をその時の変数ｉの値に決定する。オフセット値と遅延フレーム数とが決定すると、新規コンテンツＡのＭＢＳバースト情報が生成される。新規コンテンツＡのＭＢＳバースト情報は、ＭＢＳゾーンが１、配信開始時間が４時、配信終了時間が１０時、オフセット値が４、遅延フレーム数が２、データ格納先のＭＢＳバーストが１となる。新規コンテンツＡのＭＢＳバースト情報は、ＭＢＳバースト情報格納部６４に格納され、新規コンテンツＡのフレームへの割り当ての処理が終了する。尚、図１２のビットマップでは、新規コンテンツＡを割り当てる位置に星記号を付して示している。
【０１１２】
尚、ＯＰ９において、変数ｉが変数ｈ以上の場合には（ＯＰ９：Ｙｅｓ）、新規コンテ
ンツＡを割り当てることができないため、新規コンテンツＡのフレームへの割り当ての処理が終了する。新規コンテンツＡのフレームへの割り当てができない場合には、新規コンテンツＡの配信時間を変更するなどの対応を行う。
【０１１３】
図１０に示されるフローで生成された新規コンテンツＡのＭＢＳバースト情報は、ＭＢＳのコンテンツ配信を管理する装置（例えば、ＭＣＢＣＳサーバ、ＡＳＮゲートウェイの代表となるＡＳＮゲートウェイ、ネットワーク管理装置等）に送信される。ＭＢＳのコンテンツ配信を管理する装置から、新規コンテンツＡを配信するＭＢＳゾーン１に含まれるＢＳへと送信される。それらのＢＳは、新規コンテンツＡのＭＢＳバースト情報に従って、コンテンツＡを配信する。
【０１１４】
＜＜ビットマップ作成処理＞＞
図１３は、コンテンツ配信情報生成装置６の割当部６５が考慮すべきコンテンツのＭＢＳバースト情報に従って、図１２に示されるビットマップを作成する際の処理フローを示す図である。図１３では、チェックボックスｘの位置を（オフセット値、遅延フレーム数、ＭＢＳバースト）＝（Ｘ、Ｙ、Ｚ）と定める。考慮すべきコンテンツＸの格納位置を（オフセット値、遅延フレーム数、ＭＢＳバースト）＝（Ａｘ、Ａｙ、Ａｚ）と定める。尚、オフセット値Ｘは、０＜Ｘであり、且つ、「０＝コンテンツを送信する単位時間のフレーム数ｍｏｄｕｌｏオフセット値Ｘ」を満たす整数である。遅延フレーム数Ｙの取り得る範囲は、０≦Ｙ≦Ｘ−１である。
【０１１５】
図１３は、コンテンツＸ＝（Ａｘ、Ａｙ、Ａｚ）について図１２に示されるビットマップを作成する場合の、ビットマップ中の１つのチェックボックスの処理を示す。図１３では、図１２に示すチェックボックスに対応する位置にビットを割り当てる。図１２における、チェック記号及びバツ記号をビット“１”で表し、空欄をビット“０”で表すこととする。即ち、ビット“１”が格納される位置にはコンテンツを割り当てることができないことを表す。ビット“０”が格納される位置にはコンテンツを割り当てることができることを表す。
【０１１６】
例えば、割当部６５は、或るチェックボックスｘ＝（Ｘ、Ｙ、Ｚ）について、図１３の処理を開始する。
【０１１７】
割当部６５は、チェックボックスｘのＭＢＳバーストＺが、Ｚ＝Ａｚを満たすか否か判定する（ＯＰ２１）。即ち、チェックボックスｘとコンテンツＸとのＭＢＳバーストが一致するか否かを判定する。チェックボックスｘのＭＢＳバーストＺが、Ｚ＝Ａｚを満たさない場合には（ＯＰ２１：Ｎｏ）、チェックボックスｘが示すタイミングで、コンテンツＸのデータは送信されない。従って、割当部６５は、チェックボックスｘのビットを、空欄を示す“０”とする（ＯＰ２９）。
【０１１８】
チェックボックスｘのＭＢＳバーストＺが、Ｚ＝Ａｚを満たす場合には（ＯＰ２１：Ｙｅｓ）、割当部６５は、チェックボックスｘのオフセット値Ｘが０＜Ｘ≦Ａｙであるか否か判定する（ＯＰ２２）。
【０１１９】
チェックボックスｘのオフセット値Ｘが０＜Ｘ≦Ａｙを満たす場合には（ＯＰ２２：Ｙｅｓ）、チェックボックスｘの遅延フレーム数Ｙが、Ｙ＝Ａｙ  ｍｏｄ  Ｘ  を満たすか否かを判定する（ＯＰ２３）。即ち、チェックボックスｘの遅延フレーム数Ｙが、コンテンツＸの遅延フレーム数Ａｙをチェックボックスｘのオフセット値Ｘで割ったときの余りの値であるかどうかを判定する。ここでは、コンテンツＸの格納するフレームをオフセット値Ｘの倍数分だけフレーム送信開始方向にスライドさせたときに、チェックボックスｘと重なるかどうかを数値で判定している。
【０１２０】
チェックボックスｘの遅延フレーム数Ｙが、Ｙ＝Ａｙ  ｍｏｄ  Ｘ  を満たす場合には（ＯＰ２３：Ｙｅｓ）、チェックボックスｘが示すタイミングで、コンテンツＸのデータが送信される。従って、割当部６５は、チェックボックスｘのビットを“１”にする（ＯＰ２４）。
【０１２１】
チェックボックスｘの遅延フレーム数Ｙが、Ｙ＝Ａｙ  ｍｏｄ  Ｘ  を満たさない場合には（ＯＰ２３：Ｎｏ）、チェックボックスｘが示すタイミングで、コンテンツＸのデータが送信されない。従って、割当部６５は、チェックボックスｘのビットを“０”にする（ＯＰ２９）。
【０１２２】
チェックボックスｘのオフセット値Ｘが、０＜Ｘ≦Ａｙを満たさない場合には（ＯＰ２２：Ｎｏ）、チェックボックスｘのオフセット値Ｘが、Ａｙ＜Ｘ≦Ａｘを満たすか否かを判定する（ＯＰ２５）。
【０１２３】
チェックボックスｘのオフセット値Ｘが、Ａｙ＜Ｘ≦Ａｘを満たす場合には（ＯＰ２５：Ｙｅｓ）、チェックボックスｘの遅延フレーム数Ｙが、Ｙ＝Ａｙを満たすか否かを判定する（ＯＰ２６）。
【０１２４】
チェックボックスｘの遅延フレーム数Ｙが、Ｙ＝Ａｙを満たす場合には（ＯＰ２６：Ｙｅｓ）、チェックボックスｘが示すタイミングで、コンテンツＸのデータが送信される。従って、割当部６５は、チェックボックスｘのビットを“１”にする（ＯＰ２４）。
【０１２５】
チェックボックスｘの遅延フレーム数Ｙが、Ｙ＝Ａｙを満たさない場合には（ＯＰ２６：Ｎｏ）、チェックボックスｘが示すタイミングで、コンテンツＸのデータが送信されない。従って、割当部６５は、チェックボックスｘのビットを“０”にする（ＯＰ２９）。
【０１２６】
チェックボックスｘのオフセット値Ｘが、０＜Ｘ≦Ａｙを満たさない場合には（ＯＰ２５：Ｎｏ）、チェックボックスｘのオフセット値Ｘが、Ａｘ＜Ｘであることを示す（ＯＰ２７）。割当部６５は、チェックボックスｘの遅延フレーム数Ｙが、Ｙ＝Ａｙ＋Ａｘ×Ｎ（Ｎ：自然数）を満たすか否かを判定する（ＯＰ２８）。
【０１２７】
チェックボックスｘの遅延フレーム数Ｙが、Ｙ＝Ａｙ＋Ａｘ×Ｎ（Ｎ：自然数）を満たす場合には（ＯＰ２８：Ｙｅｓ）、チェックボックスｘが示すタイミングで、コンテンツＸのデータが送信される。従って、割当部６５は、チェックボックスｘのビットを“１”にする（ＯＰ２４）。
【０１２８】
チェックボックスｘの遅延フレーム数Ｙが、Ｙ＝Ａｙ＋Ａｘ×Ｎ（Ｎ：自然数）を満たさない場合には（ＯＰ２８：Ｎｏ）、チェックボックスｘが示すタイミングで、コンテンツＸのデータが送信されない。従って、割当部６５は、チェックボックスｘのビットを“０”にする（ＯＰ２９）。
【０１２９】
割当部６５は、図１２に示されるビットマップの全チェックボックスについて、ＯＰ２１からＯＰ２９の処理を行う。全チェックボックスの処理が終了すると、次のコンテンツＹのＭＢＳバースト情報について、処理を繰り返し行う。割当部６５は、抽出された全コンテンツに対して、同様の処理を行い、ビットマップを作成する。
【０１３０】
図１２に示されるビットマップの作成方法を、要約すると、以下に示す処理となる。尚、オフセットは「繰り返し周期」、遅延フレーム数は「遅延位置情報」、ＭＢＳバーストは「副伝送帯」と称する。コンテンツＸのオフセット、遅延フレーム数、ＭＢＳバースト
をそれぞれ、第１の繰り返し周期、第１の遅延位置情報、第１の副伝送帯と定めたときに、ビットマップ内で選択済み（ビット“１”）に設定されるエントリの特定方法は、以下の通りである。
【０１３１】
選択済みに設定されるエントリの１種類は、第１の遅延位置情報と第１の副伝送帯とに該当するエントリである。
【０１３２】
選択済みに設定されるエントリの１種類は、第１の繰り返し周期より短い第２の繰り返し周期で特定されるエントリであって、第１の遅延位置情報と第１の副伝送帯で特定されるエントリを第２の繰り返し周期で周期の開始方向に移動した位置のエントリである。選択済みに設定されるエントリの１種類は、第１の繰り返し周期より長い第３の繰り返し周期で特定されるエントリであって、第１の遅延情報と第１の副伝送帯で特定されるエントリ、及び、そのエントリを第１の繰り返し周期で周期の末尾方向に移動した位置のエントリである。
【０１３３】
＜＜第１実施形態の作用効果＞＞
第１実施形態のコンテンツ配信情報生成装置６は、新規コンテンツＡのコンテンツ設定要求を受け付けると、ゾーン抽出部６２と割当部６５とで新規コンテンツＡのＭＢＳバースト情報を生成する。従って、第１実施形態のコンテンツ配信情報生成装置６によれば、新規コンテンツの情報が入力されたことを契機に、ＢＳが新規コンテンツを配信する際に必要となるＭＢＳバースト情報を生成することができる。
【０１３４】
コンテンツの内容に応じて、オフセット値、ＭＢＳリージョン（第１実施形態ではＭＢＳバースト）を選択することができるため、ＷｉＭＡＸのフレームへ効率的にコンテンツを割り当てることができる。即ち、無線リソースを効率的に使用することができる。
【０１３５】
ビットマップのチェックボックスに格納する値をビットにして、例えば、チェック記号及びバツ記号の場合には「１」、空いている場合には「０」を格納するようにして、ビットマップを作成することができる。このように構成することで、新規コンテンツを割り当てる位置を特定する処理を、簡単且つ高速にすることができる。また、ビットマップ自体に格納される情報量も、チェックボックス内のビットのデータ量だけになる。例えば、図１２に示すビットマップの場合は、多くても、オフセット値の設定数×遅延フレーム数の最大値×ＭＢＳバーストアロケーション＝４×７×２＝５６ビットとなる。従って、新規コンテンツのＭＢＳバースト情報の生成処理時の、コンテンツ配信情報生成装置６の消費リソースを少なく抑えることができる。
【０１３６】
＜第１変形例＞
第１実施形態では、コンテンツ配信情報生成装置６は、独立した装置として実現される場合について説明を行った。コンテンツ配信情報生成装置６は、独立した装置のみならず、ＭＣＢＣＳサーバ２１、ＡＳＮ−ＧＷの内の代表となるＡＳＮ−ＧＷ、又は、ＭＣＢＣＳサーバ２１やＡＳＮ−ＧＷを管理する管理装置（図示せず）等に搭載されるＣＰＵによって実現される機能部としてもよい。
【０１３７】
＜第２変形例＞
第１実施形態では、新規コンテンツＡは、予め配信時間（配信開始時間から配信終了時間まで）が決められていた。コンテンツ配信情報生成装置６は、図１０のＯＰ１からＯＰ９までの処理が終了したときに、新規コンテンツＡの割り当てができない場合でも、新規コンテンツＡの割り当ての処理を終了させていた。
【０１３８】
これに代えて、通信事業者の管理者が新規コンテンツＡの情報を登録する際に、新規コ
ンテンツＡの配信時間（配信開始時間から配信終了時間まで）の候補を複数入力する。コンテンツ配信情報生成装置６は、図１０のＯＰ９において、入力された新規コンテンツＡの配信時間の候補の１つ（配信時間Ａとする）について図１０のＯＰ１からＯＰ９までの処理を行う。配信時間Ａにおいて、新規コンテンツＡのフレーム割当が決定しなかった場合には、他の配信時間の候補について図１０のＯＰ１からＯＰ９までの処理を行う。
【０１３９】
または、新規コンテンツＡの配信を希望する時間を、新規コンテンツＡの配信にかかる合計時間よりも大きく設定し、配信を希望する時間の中で、新規コンテンツＡのＭＢＳバースト情報が生成できるまで、図１０のフローを繰り返してもよい。
【０１４０】
このように、予め新規コンテンツＡの配信時間に複数の候補を用意して、配信時間の候補の中で、新規コンテンツＡのＭＢＳバースト情報が生成できるまで、図１０のフローを繰り返すことによって、新規コンテンツの配信時間の自由度が上がる。
【０１４１】
＜第３変形例＞
第１実施形態では、新規コンテンツを設定するときに、図１１に示される処理を行うことによって、考慮すべきＭＢＳゾーンを抽出した。このとき、本来考慮すべきであるＭＢＳゾーンが抽出されない場合がある。
【０１４２】
図１４は、ＭＢＳゾーンマップの例を示す図である。図１４のＭＢＳゾーンマップは、ＢＳＩＤ１からＢＳＩＤ１８までは、図４に示したＭＢＳゾーンマップと同じコンテンツについて示している。図１４に示されるＭＢＳゾーン１０及びＭＢＳゾーン１１は、新規コンテンツＡが設定される場合に、図１１に示される処理では考慮すべきＭＢＳゾーンとして抽出されないＭＢＳゾーンである。図１４において、新規コンテンツＡが設定される場合に、ＭＢＳゾーン１０及びＭＢＳゾーン１１を考慮しなくても場合は、以下に示すような場合である。
【０１４３】
例えば、通信事業者が事業所ごとに管理する地域で使用する周波数を変えている場合で、且つ、ＢＳ１８とＢＳ１９とでは管理する事業所が異なる場合には、ＭＢＳゾーン７と隣接するＭＢＳゾーン１０は、考慮しなくてもよい。また、例えば、ＭＢＳゾーン７が関東地域に存在するＭＢＳゾーンで、ＭＢＳゾーン１１が沖縄地域に存在するＭＢＳゾーンである場合には、無線の電波が干渉しない位十分離れているので、ＭＢＳゾーン１１は考慮しなくてもよい。
【０１４４】
しかし、ＭＢＳゾーン１０及びＭＢＳゾーン１１が同じ事業所などの管理区域に存在し、ＭＢＳゾーン７のＢＳからの無線信号の干渉を受ける可能性のある距離に位置する場合には、考慮すべきＭＢＳゾーンとして抽出されなければならない。このような、本来考慮すべきＭＢＳゾーンとして抽出されるべきでＭＢＳゾーンの抽出漏れがないように、考慮すべきＭＢＳゾーンの抽出処理として、図１１に示す処理に加え、以下の処理を行ってもよい。
【０１４５】
通信事業者の管理者が入力装置に、新規コンテンツの情報として、配信ＭＢＳゾーン、配信開始時間、配信終了時間、データ量、必要データ転送速度等に加え、指定地域を指定する。指定地域とは、新規コンテンツンを設定する場合に考慮しなければならない最大の地理的範囲である。例えば、通信事業者が、事業所が管理する地域エリアごとに異なる周波数を用いている場合には、指定地域を事業所が管理する地域エリアと定めることもできる。この場合には、各ＢＳには事業所ＩＤなるものが付されているので、事業所ＩＤによって指定地域を指定することができる。或いは、例えば、考慮されるべきＭＢＳゾーンとして抽出されるＭＢＳゾーンから、予め測定されている無線信号の干渉を受けない十分な距離を指定地域として指定してもよい。
【０１４６】
ゾーン抽出部６２は、図１１に示すＯＰ３５の処理が終了した後、指定地域内に新規コンテンツと配信時間が重複するコンテンツを配信するＭＢＳゾーンを抽出する。例えば、図１４では、ＭＢＳゾーン１０とＭＢＳゾーン１１が抽出される。
【０１４７】
第３変形例のように、指定地域を設定することで、新規コンテンツ設定時に考慮すべきＭＢＳゾーンとして、漏れなくＭＢＳゾーンを抽出することができる。
【０１４８】
指定地域は、第３変形例のように、新規コンテンツの情報を入力する際に管理者によって、設定されてもよい。また、コンテンツ配信情報生成装置６の記憶装置（例えば、ＭＢＳゾーンマップ格納部６３等）に、予め計測や計算などで導き出された指定地域を備えておき、受信部６１がコンテンツ設定要求を受信するときに応じて読出してもよい。
【０１４９】
＜第４変形例＞
第１実施形態では、新規コンテンツを設定する際に、考慮すべきＭＢＳゾーンの抽出処理として、図１１に示す処理を行った。これに代えて、第３変形例において説明した指定地域に基づいて、以下の処理を行ってもよい。
【０１５０】
ゾーン抽出部６２は、新規コンテンツをＭＢＳゾーンマップに加えると、指定地域内で新規コンテンツと配信時間が重複するコンテンツを配信する全ＭＢＳゾーンを抽出する。割当部６５は、ゾーン抽出部６２で抽出されたＭＢＳゾーンにおいて配信され、新規コンテンツと配信時間が重複するコンテンツのＭＢＳバースト情報を抽出する。以下、図１０のＯＰ４からＯＰ１０の処理を行う。
【０１５１】
＜第５変形例＞
第１実施形態では、新規コンテンツを設定する際に、考慮すべきＭＢＳゾーンの抽出処理として、図１１に示す処理を行った。これに代えて、第３変形例において説明した指定地域を、新規コンテンツが設定されるときに考慮しなければならないＭＢＳゾーンのＭＢＳゾーンＩＤで指定してもよい。
【０１５２】
指定地域を、新規コンテンツが設定されるときに考慮しなければならないＭＢＳゾーンのＭＢＳゾーンＩＤで指定した場合には、ゾーン抽出部６２は、指定地域に指定されたＭＢＳゾーンを抽出する。割当部６５は、抽出されたＭＢＳゾーンで新規コンテンツと配信時間が重複するコンテンツのＭＢＳバースト情報を抽出する。以下、図１０のＯＰ４からＯＰ１０の処理を行う。
【０１５３】
＜その他＞
以上の実施形態に関し、更に以下の付記を開示する。
【０１５４】
（付記１）
重複する時間枠に同一の情報を同期して配信する複数の基地局装置と、
前記基地局装置から配信されるべき情報の時間枠を設定する管理装置とを備え、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき配信対象領域の指定を受ける手段と、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、第１の配信されるべき情報の配信対象領域に対して重複関係にある配信対象領域を有し、前記第１の配信されるべき情報の時間枠が少なくとも一部重複する他の配信されるべき情報を特定する手段と、
前記第１の配信されるべき情報の必要帯域幅から前記繰り返し周期を算出する周期算出手段と、
前記他の配信されるべき情報の前記繰り返し周期を確保するとともに、前記第１の配信されるべき情報が配信される枠区間の列を、列相互の枠区間の重複を排除して形成する枠区間列形成手段と、を有する配信システム。
【０１５５】
（付記２）
前記他の配信されるべき情報を特定する手段は、前記第１の配信されるべき情報の配信対象領域に対して前記重複関係にある配信対象領域群の境界に位置する配信対象領域と所定距離の範囲に離間している配信対象領域を有し、前記第１の配信されるべき情報の時間枠が少なくとも一部重複する第２の配信されるべき情報を、さらに特定する
付記１に記載の配信システム。
【０１５６】
（付記３）
重複する時間枠に同一の情報を同期して配信する複数の基地局装置と、
前記基地局装置から配信されるべき情報の時間枠を設定する管理装置とを備え、
前記時間枠は、枠区間の列を含み、
前記枠区間の列は、前記枠区間の整数倍で設定される繰り返し周期と配信が開始する最初の繰り返し周期の開始位置に対して実際に前記配信されるべき情報が配信される最初の枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき第１の配信対象領域の指定を受ける手段と、
（ａ）複数の配信されるべき情報の配信対象領域が互いに少なくとも一部重複する場合、または、（ｂ）前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、前記第１の配信対象領域に対して前記重複関係にある第２の配信対象領域の指定を読み取る手段と、
前記第２の配信対象領域を有し、前記それぞれの配信されるべき情報の時間枠と少なくとも一部が重複する他の配信されるべき情報を特定する手段と、
前記それぞれの配信されるべき情報の必要帯域幅から前記繰り返し周期を算出する周期算出手段と、
前記他の配信されるべき情報の前記繰り返し周期を確保するとともに、前記それぞれの配信されるべき情報が配信される枠区間の列を、列相互の枠区間の重複を排除して形成
する枠区間列形成手段と、を有する配信システム。
【０１５７】
（付記４）
前記枠区間列形成手段は、前記繰り返し周期が前記枠区間の２倍以上の間隔である複数種類の情報について、前記遅延位置情報を調整する手段を含む
付記１から３の何れか１つに記載の配信システム。
【０１５８】
（付記５）
前記基地局装置がそれぞれ、単一の枠区間において、複数種類の情報を識別可能に伝送する副伝送帯を形成しており、
前記枠区間列形成手段は、前記遅延位置情報および前記副伝送帯の少なくとも１つを異なるものすることによってそれぞれの情報を配信する枠区間を決定する
付記４に記載の配信システム。
【０１５９】
（付記６）
前記枠区間列形成手段は、
異なる繰り返し周期に対してそれぞれの最初の繰り返し周期の区間内での遅延位置情報に対応する枠区間の位置と、それぞれの枠区間内での副伝送帯とによって区分され、選択済みか空きかを示すエントリを含むデータ構造記憶手段と、
１の種類の情報に対して第１の繰り返し周期が前記周期算出手段によって算出されたときに、前記第１の繰り返し周期で特定される前記データ構造記憶手段の、空きエントリから第１の遅延位置情報と第１の副伝送帯とを選択する手段と、
前記選択された第１の遅延位置情報と第１の副伝送帯に該当するエントリを選択済みに設定するとともに、前記第１の繰り返し周期より短い第２の繰り返し周期で特定されるエントリについては、前記第１の遅延情報位置と第１の副伝送帯で特定されるエントリを前記第２の繰り返し周期で周期の開始方向に移動した位置のエントリを選択済みに設定し、前記第１の繰り返し周期より長い第３の繰り返し周期で特定されるエントリについては、前記第１の繰り返し周期で周期の末尾方向に移動した位置のエントリを選択済みに設定する手段と、
を有する付記５に記載の配信システム。
【０１６０】
（付記７）
重複する時間枠に同一の情報を同期して配信する複数の基地局装置から配信されるべき情報の時間枠を設定する管理装置であり、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき配信対象領域の指定を受ける手段と、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の
配信されるべき情報の配信対象領域を重複関係にある領域と定義したとき、第１の配信されるべき情報の配信対象領域に対して重複関係にある配信対象領域を有し、前記第１の配信されるべき情報の時間枠が少なくとも一部重複する他の配信されるべき情報を特定する手段と、
前記第１の配信されるべき情報の必要帯域幅から前記繰り返し周期を算出する周期算出手段と、
前記他の配信されるべき情報の前記繰り返し周期を確保するとともに、前記第１の配信されるべき情報が配信される枠区間の列を、列相互の枠区間の重複を排除して形成する枠区間列形成手段と、を有する管理装置。
【０１６１】
（付記８）
前記他の配信されるべき情報を特定する手段は、前記第１の配信されるべき情報の配信対象領域に対して前記重複関係にある配信対象領域群の境界に位置する配信対象領域と所定距離の範囲に離間している配信対象領域を有し、前記第１の配信されるべき情報の時間枠が少なくとも一部重複する第２の配信されるべき情報を、さらに特定する
付記７に記載の管理装置。
【０１６２】
（付記９）
重複する時間枠に同一の情報を同期して配信する複数の基地局装置から配信されるべき情報の時間枠を設定する管理装置であり、
前記時間枠は、枠区間の列を含み、
前記枠区間の列は、前記枠区間の整数倍で設定される繰り返し周期と配信が開始する最初の繰り返し周期の開始位置に対して実際に前記配信されるべき情報が配信される最初の枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記管理装置は、
それぞれの配信されるべき情報に対して、必要帯域幅と、配信されるべき第１の配信対象領域の指定を受ける手段と、
（ａ）複数の配信されるべき情報の配信対象領域が互いに少なくとも一部重複する場合、または、（ｂ）前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、前記第１の配信対象領域に対して前記重複関係にある第２の配信対象領域の指定を読み取る手段と、
前記第２の配信対象領域を有し、前記それぞれの配信されるべき情報の時間枠と少なくとも一部が重複する他の配信されるべき情報を特定する手段と、
前記それぞれの配信されるべき情報の必要帯域幅から前記繰り返し周期を算出する周期算出手段と、
前記他の配信されるべき情報の前記繰り返し周期を確保するとともに、前記それぞれの配信されるべき情報が配信される枠区間の列を、列相互の枠区間の重複を排除して形成する枠区間列形成手段と、を有する管理装置。
【０１６３】
（付記１０）
前記枠区間列形成手段は、前記繰り返し周期が前記枠区間の２倍以上の間隔である複数種類の情報について、前記遅延位置情報を調整する手段を含む
付記７から９の何れか１つに記載の管理装置。
【０１６４】
（付記１１）
前記基地局装置がそれぞれ、単一の枠区間において、複数種類の情報を識別可能に伝送する副伝送帯を形成しており、
前記枠区間列形成手段は、前記遅延位置情報および前記副伝送帯の少なくとも１つを異なるものすることによってそれぞれの情報を配信する枠区間を決定する
付記１０に記載の管理装置。
【０１６５】
（付記１２）
前記枠区間列形成手段は、
異なる繰り返し周期に対してそれぞれの最初の繰り返し周期の区間内での遅延位置情報に対応する枠区間の位置と、それぞれの枠区間内での副伝送帯とによって区分され、選択済みか空きかを示すエントリを含むデータ構造記憶手段と、
１の種類の情報に対して第１の繰り返し周期が前記周期算出手段によって算出されたときに、前記第１の繰り返し周期で特定される前記データ構造記憶手段の、空きエントリから第１の遅延位置情報と第１の副伝送帯とを選択する手段と、
前記選択された第１の遅延位置情報と第１の副伝送帯に該当するエントリを選択済みに設定するとともに、前記第１の繰り返し周期より短い第２の繰り返し周期で特定されるエントリについては、前記第１の遅延情報位置と第１の副伝送帯で特定されるエントリを前記第２の繰り返し周期で周期の開始方向に移動した位置のエントリを選択済みに設定し、前記第１の繰り返し周期より長い第３の繰り返し周期で特定されるエントリについては、前記第１の繰り返し周期で周期の末尾方向に移動した位置のエントリを選択済みに設定する手段と、
を有する付記１１に記載の管理装置。
【０１６６】
（付記１３）
コンピュータが、重複する時間枠に同一の情報を同期して配信する複数の基地局装置から配信されるべき情報の時間枠を設定する管理方法であり、
前記時間枠は、枠区間の列を含み、
前記枠区間の列は、前記枠区間の整数倍で設定される繰り返し周期と、前記配信されるべき情報の配信が開始されるべき最初の前記繰り返し周期の開始位置に対して、実際に前記配信されるべき情報が配信される最初の前記枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記コンピュータが、
それぞれの配信されるべき情報に対して、必要帯域幅と、配信されるべき配信対象領域の指定を受けるステップと、
（ａ）複数の配信されるべき情報の時間枠が少なくとも一部重複し、前記複数の配信されるべき情報の配信対象領域が互いに少なくとも一部重複する場合、または、（ｂ）前記複数の配信されるべき情報の時間枠が少なくとも一部重複し、前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、第１の配信されるべき情報の配信対象領域に対して重複関係にある配信対象領域を有し、前記第１の配信されるべき情報の時間枠が少なくとも一部重複する他の配信されるべき情報を特定するステップと、
前記第１の配信されるべき情報の必要帯域幅から前記繰り返し周期を算出する周期算出ステップと、
前記他の配信されるべき情報の前記繰り返し周期を確保するとともに、前記第１の配信されるべき情報が配信される枠区間の列を、列相互の枠区間の重複を排除して形成する
枠区間列形成ステップと、を実行する管理方法。
【０１６７】
（付記１４）
前記他の配信されるべき情報を特定するステップは、前記第１の配信されるべき情報の配信対象領域に対して前記重複関係にある配信対象領域群の境界に位置する配信対象領域と所定距離の範囲に離間している配信対象領域を有し、前記第１の配信されるべき情報の時間枠が少なくとも一部重複する第２の配信されるべき情報を、さらに特定する
付記１３に記載の配信システム。
【０１６８】
（付記１５）
コンピュータが、重複する時間枠に同一の情報を同期して配信する複数の基地局装置から配信されるべき情報の時間枠を設定する管理方法であり、
前記時間枠は、枠区間の列を含み、
前記枠区間の列は、前記枠区間の整数倍で設定される繰り返し周期と配信が開始する最初の繰り返し周期の開始位置に対して実際に前記配信されるべき情報が配信される最初の枠区間の開始位置を示す遅延位置情報とにしたがって定められ、
前記基地局装置は、前記枠区間の列ごとに少なくとも１つの種類の前記配信されるべき情報を配信し、単一の基地局装置または複数の基地局装置の組み合わせから送出される無線信号の到達範囲が、１つの配信対象領域を形成し、
前記コンピュータが、
それぞれの配信されるべき情報に対して、必要帯域幅と、配信されるべき第１の配信対象領域の指定を受けるステップと、
（ａ）複数の配信されるべき情報の配信対象領域が互いに少なくとも一部重複する場合、または、（ｂ）前記複数の配信されるべき情報の配信対象領域が互いに重複せず、他の単一の配信対象領域または他の複数の互いに少なくとも一部重複する配信対象領域群に少なくとも一部重複する場合に、前記複数の配信されるべき情報の配信対象領域を重複関係にある領域と定義したとき、前記第１の配信対象領域に対して前記重複関係にある第２の配信対象領域の指定を読み取るステップと、
前記第２の配信対象領域を有し、前記それぞれの配信されるべき情報の時間枠と少なくとも一部が重複する他の配信されるべき情報を特定するステップと、
前記それぞれの配信されるべき情報の必要帯域幅から前記繰り返し周期を算出する周期算出ステップと、
前記他の配信されるべき情報の前記繰り返し周期を確保するとともに、前記それぞれの配信されるべき情報が配信される枠区間の列を、列相互の枠区間の重複を排除して形成する枠区間列形成ステップと、を実行する管理方法。
【０１６９】
（付記１６）
前記枠区間列形成ステップは、前記繰り返し周期が前記枠区間の２倍以上の間隔である複数種類の情報について、前記遅延位置情報を調整するステップを含む
付記１３から１５の何れか１つに記載の管理方法。
【０１７０】
（付記１７）
前記基地局装置がそれぞれ、単一の枠区間において、複数種類の情報を識別可能に伝送する副伝送帯を形成しており、
前記枠区間列形成ステップは、前記遅延位置情報および前記副伝送帯の少なくとも１つを異なるものすることによってそれぞれの情報を配信する枠区間を決定する
付記１６に記載の管理方法。
【０１７１】
（付記１８）
前記枠区間列形成ステップは、
異なる繰り返し周期に対してそれぞれの最初の繰り返し周期の区間内での遅延位置情報に対応する枠区間の位置と、それぞれの枠区間内での副伝送帯とによって区分され、選択済みか空きかを示すエントリを含むデータ構造記憶ステップと、
１の種類の情報に対して第１の繰り返し周期が前記周期算出ステップによって算出されたときに、前記第１の繰り返し周期で特定される前記データ構造記憶ステップの、空きエントリから第１の遅延位置情報と第１の副伝送帯とを選択するステップと、
前記選択された第１の遅延位置情報と第１の副伝送帯に該当するエントリを選択済みに設定するとともに、前記第１の繰り返し周期より短い第２の繰り返し周期で特定されるエントリについては、前記第１の遅延情報位置と第１の副伝送帯で特定されるエントリを前記第２の繰り返し周期で周期の開始方向に移動した位置のエントリを選択済みに設定し、前記第１の繰り返し周期より長い第３の繰り返し周期で特定されるエントリについては、前記第１の繰り返し周期で周期の末尾方向に移動した位置のエントリを選択済みに設定するステップと、
を有する付記１７に記載の管理方法。
【図面の簡単な説明】
【０１７２】
【図１】モバイルＷｉＭＡＸネットワークの構成例を示す図である。
【図２】ＭＢＳゾーンの重複における考慮点の例を説明する図である。
【図３】コンテンツ配信情報生成装置の構成例を示す図である。
【図４】ＭＢＳゾーンマップの構成例を示す図である。
【図５】ＭＢＳバースト情報の例を示す図である。
【図６】ＷｉＭＡＸフレームの構成例を示す図である。
【図７Ａ】オフセット値が１のコンテンツのみを配信する場合のフレームシーケンスの例を示す図である。
【図７Ｂ】オフセット値が２のコンテンツのみを配信する場合のフレームシーケンスの例を示す図である。
【図７Ｃ】オフセット値が１のコンテンツとオフセット値が２のコンテンツを配信する場合のフレームシーケンスの例を示す図である。
【図８】オフセット値を決定する際の指標の例を示す図である。
【図９】新規コンテンツの例を示す図である。
【図１０】コンテンツ配信情報生成装置の動作フローの例を示す図である。
【図１１】新規コンテンツ設定時の考慮すべきＭＢＳゾーンを抽出する処理のフローの例を示す図である。
【図１２】ビットマップの例を示す図である。
【図１３】ビットマップの作成フローの例を示す図である。
【図１４】ＭＢＳゾーンマップの例を示す図である。
【符号の説明】
【０１７３】
１    コアネットワーク
２    ＣＳＮ
３    ＡＳＮ
５    ＭＳ
６      コンテンツ配信情報生成装置
２１    ＭＣＢＣＳサーバ
３１、３２    ＡＳＮゲートウェイ
４１、４２、４３、４４    ＢＳ
６１    受信部
６２    ゾーン抽出部
６３    ＭＢＳゾーンマップ格納部
６４    ＭＢＳバースト情報格納部
６５    割当部
６６    送信部
【図１】
2010130230.tif 000003
【図２】
2010130230.tif 000004
【図３】
2010130230.tif 000005
【図４】
2010130230.tif 000006
【図５】
2010130230.tif 000007
【図６】
2010130230.tif 000008
【図７Ａ】
2010130230.tif 000009
【図７Ｂ】
2010130230.tif 000010
【図７Ｃ】
2010130230.tif 000011
【図８】
2010130230.tif 000012
【図９】
2010130230.tif 000013
【図１０】
2010130230.tif 000014
【図１１】
2010130230.tif 000015
【図１２】
2010130230.tif 000016
【図１３】
2010130230.tif 000017
【図１４】
2010130230.tif 000018